(57)【要約】【課題】多数のページに渡るコンテンツにおいて所望のページをより少ないめくりで表示させる表示装置、出力装置、表示プログラム及び出力プログラムを提供する。【解決手段】表示装置に１０枚の電子ペーパが綴じられている場合に、１枚目から７枚目までには、１番目のコンテンツに表示されているコンテンツのページ（Ａページ）に連続したコンテンツページが表示される。そして、最後の３枚にはＡページに、前から順に「１０」、「１１」、「１２」を加算したページを表示する。つまり、表示装置１において、Ａページが「１」であれば、電子ペーパ５にはコンテンツのページが「１，２，３，・・・，７，１１，１２，１３」の順で表示される。７枚目と８枚目の間でコンテンツページが飛んでいるので、後の方のページを表示させたい時には後の３枚のいずれかを開くと、より早く所望のページを表示できる。【選択図】図１０
2008180748.tif 000002
【特許請求の範囲】
【請求項１】
画像を表示する表示手段を備えた複数枚の電子ペーパと、前記複数枚の電子ペーパを綴じるリング部材と、画像を表示するための情報を前記電子ペーパへ出力し、画像を前記表示手段に表示する出力装置とを備えた表示装置であって、
前記出力装置は、
複数ページの画像からなる画像コンテンツを記憶するコンテンツ記憶手段と、
前記電子ペーパがめくられたことを検出するめくり検出手段と、
前記表示手段の並び順序を表示手段順序とし、ｘを正の整数とするとき、前記めくり検出手段により前記電子ペーパがめくられたことが検出されると、前記表示手段順序が（ｘ＋１）番目である表示手段には１番目の表示手段に表示させる画像よりも４ページ以上後ろの画像を表示させ、２番目からｘ番目までの表示手段にはその表示手段の１つ前の表示手段に表示させる画像よりも１ページ後ろの画像を表示させるように、前記画像コンテンツの画像を前記複数の表示手段にそれぞれ表示させるめくり表示制御手段とを備えたことを特徴とする表示装置。
【請求項２】
ｙをｘよりも大きい正の整数とするとき、前記めくり表示制御手段が、前記表示手段順序が（ｙ＋１）番目の表示手段に１番目の表示手段に表示させる画像よりも５ページ以上後ろの画像を表示させることを特徴とする請求項１に記載の表示装置。
【請求項３】
１番目の表示手段で表示させる画像と（ｙ＋１）番目の表示手段で表示させる画像とのページ差である離頁数Ｙが、１番目の表示手段で表示させる画像と（ｘ＋１）番目の表示手段で表示させる画像とのページ差である離頁数Ｘの２倍以上となるように、前記めくり表示制御手段が各表示手段に画像を表示させることを特徴とする請求項２に記載の表示装置。
【請求項４】
前記離頁数Ｙが前記離頁数Ｘの２倍になるように、前記めくり表示制御手段が各表示手段に画像を表示させることを特徴とする請求項２に記載の表示装置。
【請求項５】
ｚをｘよりも大きい正の整数とするとき、前記めくり表示制御手段が、（ｘ＋１）番目からｚ番目までの表示手段に同じページの画像を表示させることを特徴とする請求項１乃至４のいずれかに記載の表示装置。
【請求項６】
ｘが２以上であることを特徴とする請求項１乃至５のいずれかに記載の表示装置。
【請求項７】
前記めくり表示制御手段が、前記表示手段順序の最後の前記表示手段に、１番目の前記表示手段に表示されている画像よりも１ページ前の画像を表示させることを特徴とする請求項１乃至６のいずれかに記載の表示装置。
【請求項８】
前記めくり表示制御手段が、最後の前記表示手段の１つ前から所定数前の前記表示手段に、最後の前記表示手段に表示されている画像よりも、最後の前記表示手段との順序の差分だけ前のページの画像を表示させることを特徴とする請求項７に記載の表示装置。
【請求項９】
前記電子ペーパは、
前記リング部材内における前記電子ペーパの位置を検出する位置検出手段と、
前記電子ペーパと他の電子ペーパとを識別するための情報である識別情報を記憶する識別情報記憶手段とを備え、
前記出力装置は、
前記電子ペーパから、前記電子ペーパの前記位置検出手段により検出された位置を示す情報である位置情報を前記電子ペーパの前記識別情報記憶手段に記憶されている前記識別情報と共に取得する位置情報取得手段と、
前記位置情報取得手段により取得された前記位置情報と前記識別情報とに基づいて、前記表示装置に綴じられている各電子ペーパの綴じ順序を算出し、前記綴じ順序に基づいて前記表示手段順序を決定する順序決定手段とを備えたことを特徴とする請求項１乃至８のいずれかに記載の表示装置。
【請求項１０】
前記電子ペーパは貫通孔を備え、
前記貫通孔に前記リング部材が貫通されることにより前記電子ペーパが綴じられることを特徴とする請求項９に記載の表示装置。
【請求項１１】
前記リング部材は、
前記電子ペーパの前記貫通孔に接触する位置に電気抵抗体を備え、
前記電子ペーパは、
前記貫通孔に接触した前記電気抵抗体の電圧値を計測する電圧値計測手段を備え、
前記位置検出手段は、前記電圧計測手段により計測された前記電圧値に基づいて、前記リング部材内における当該電子ペーパの位置を検出することを特徴とする請求項１０に記載の表示装置。
【請求項１２】
画像を表示する表示手段を備えた複数枚の電子ペーパと、前記複数枚の電子ペーパを綴じるリング部材と、画像を表示するための情報を前記電子ペーパへ出力し、画像を前記表示手段に表示する出力装置とを備えた表示装置であって、
前記出力装置は、
複数ページの画像からなる画像コンテンツを記憶するコンテンツ記憶手段と、
前記表示手段の並び順序を表示手段順序とし、ｘを正の整数とするとき、前記コンテンツ記憶手段に記憶された画像コンテンツを表示させる際に、表示手段順序が（ｘ＋１）番目の表示手段には１番目の表示手段に表示させる画像よりも４ページ以上後ろの画像を表示させ、前記表示手段順序が２番目からｘ番目までの表示手段にはその表示手段の１つ前の表示手段に表示させる画像よりも１ページ後ろの画像を表示させるように、前記コンテンツの画像を前記複数の表示手段にそれぞれ表示させる表示制御手段とを備えた表示装置。
【請求項１３】
画像を表示する表示手段を備えた複数枚の電子ペーパをリング部材で綴じた表示装置において、画像を表示するための情報を前記電子ペーパへ出力し、画像を前記表示手段に表示する出力装置であって、
複数ページの画像からなる画像コンテンツを記憶するコンテンツ記憶手段と、
前記電子ペーパがめくられたことを検出するめくり検出手段と、
前記表示手段の並び順序を表示手段順序とし、ｘを正の整数とするとき、前記めくり検出手段により前記電子ペーパがめくられたことが検出されると、前記表示手段順序が（ｘ＋１）番目である表示手段には１番目の表示手段に表示させる画像よりも４ページ以上後ろの画像を表示させ、２番目からｘ番目までの表示手段にはその表示手段の１つ前の表示手段に表示させる画像よりも１ページ後ろの画像を表示させるように、前記画像コンテンツの画像を前記複数の表示手段にそれぞれ表示させるめくり表示制御手段とを備えたことを特徴とする出力装置。
【請求項１４】
ｙをｘよりも大きい正の整数とするとき、前記めくり表示制御手段が、前記表示手段順序が（ｙ＋１）番目の表示手段に１番目の表示手段に表示させる画像よりも５ページ以上後ろの画像を表示させることを特徴とする請求項１３に記載の出力装置。
【請求項１５】
１番目の表示手段で表示させる画像と（ｙ＋１）番目の表示手段で表示させる画像とのページ差である離頁数Ｙが、１番目の表示手段で表示させる画像と（ｘ＋１）番目の表示手段で表示させる画像とのページ差である離頁数Ｘの２倍以上となるように、前記めくり表示制御手段が各表示手段に画像を表示させることを特徴とする請求項１４に記載の出力装置。
【請求項１６】
前記離頁数Ｙが前記離頁数Ｘの２倍になるように、前記めくり表示制御手段が各表示手段に画像を表示させることを特徴とする請求項１５に記載の出力装置。
【請求項１７】
ｚをｘよりも大きい正の整数とするとき、前記めくり表示制御手段が、（ｘ＋１）番目からｚ番目までの表示手段に同じページの画像を表示させることを特徴とする請求項１３乃至１６のいずれかに記載の出力装置。
【請求項１８】
ｘが２以上であることを特徴とする請求項１５乃至１７のいずれかに記載の出力装置。
【請求項１９】
前記めくり表示制御手段が、前記表示手段順序の最後の前記表示手段に、１番目の前記表示手段に表示されている画像のページの１つ前のページの画像を表示させることを特徴とする請求項１３乃至１８のいずれかに記載の出力装置。
【請求項２０】
前記めくり表示制御手段が、最後の前記表示手段の１つ前から所定数前の前記表示手段に、最後の前記表示手段に表示されている画像のページよりも、最後の前記表示手段との順序の差分だけ前のページの画像を表示させることを特徴とする請求項１９に記載の出力装置。
【請求項２１】
前記電子ペーパがリング部材により綴じられ、前記リング部材内における前記電子ペーパの位置を検出する位置検出手段と、前記電子ペーパと他の電子ペーパとを識別するための情報である識別情報を記憶する識別情報記憶手段とを備えており、
前記電子ペーパから、前記電子ペーパの前記位置検出手段により検出された位置を示す情報である位置情報を前記電子ペーパの前記識別情報記憶手段に記憶されている前記識別情報と共に取得する位置情報取得手段と、
前記位置情報取得手段により取得された前記位置情報と前記識別情報とに基づいて、前記表示装置に綴じられている各電子ペーパの綴じ順序を算出し、前記綴じ順序に基づいて前記表示手段順序を決定する順序決定手段とを備えたことを特徴とする請求項１３乃至２０のいずれかに記載の出力装置。
【請求項２２】
画像を表示する表示手段を備えた複数枚の電子ペーパをリング部材で綴じた表示装置において、画像を表示するための情報を前記電子ペーパへ出力し、画像を前記表示手段に表示する出力装置であって、
複数ページの画像からなる画像コンテンツを記憶するコンテンツ記憶手段と、
前記表示手段の並び順序を表示手段順序とし、ｘを正の整数とするとき、前記コンテンツ記憶手段に記憶された画像コンテンツを表示させる際に、表示手段順序が（ｘ＋１）番目の表示手段には１番目の表示手段に表示させる画像よりも４ページ以上後ろの画像を表示させ、前記表示手段順序が２番目からｘ番目までの表示手段にはその表示手段の１つ前の表示手段に表示させる画像よりも１ページ後ろの画像を表示させるように、前記コンテンツの画像を前記複数の表示手段にそれぞれ表示させる表示制御手段とを備えたことを特徴とする出力装置。
【請求項２３】
請求項１乃至１２のいずれかに記載の表示装置の各種処理手段としてコンピュータを動作させる表示プログラム。
【請求項２４】
請求項１３乃至２１のいずれかに記載の出力装置の各種処理手段としてコンピュータを動作させる出力プログラム。
【請求項２５】
請求項２２に記載の出力装置の各種処理手段としてコンピュータを動作させる出力プログラム。
【発明の詳細な説明】
【技術分野】
【０００１】
本発明は、表示装置、出力装置、表示プログラム及び出力プログラムに関するものであり、詳細には、リング状の部材により複数枚の電子ペーパを綴じた表示装置、当該表示装置の電子ペーパに画像を出力する出力装置、表示装置としてコンピュータを動作させる表示プログラム及び、出力装置としてコンピュータを動作させる出力プログラムに関するものである。
【背景技術】
【０００２】
従来、電子書籍と呼ばれる、表裏の両面に表示手段を備えた電子ペーパを複数枚束ねて綴じ込んだ表示装置が知られている。
【０００３】
また、このような表示装置では、小説やコミックなどのコンテンツを表示手段にページ単位で表示させ、ユーザが本を読んでいるような感覚で表示装置を扱えるように種々の工夫がなされている。たとえば、特許文献１に記載の発明の画像表示装置では、装置本体（電子ペーパ）の反転を検知することにより、装置本体がめくられたことを検出して表示手段の書き換えが行われている。
【０００４】
【特許文献１】特開２００３−１３１６１２号公報
【発明の開示】
【発明が解決しようとする課題】
【０００５】
しかしながら、特許文献１に記載の発明のような画像表示装置に多数のページに渡るコンテンツが表示されている場合、ユーザがコンテンツの途中の所望のページを閲覧したいときは、ユーザは所望のページまで電子ペーパをめくり続けなければならず、手間がかかるという問題点がある。
【０００６】
本発明は、上述の問題点を解決するためになされたものであり、多数のページに渡るコンテンツにおいて所望のページをより少ないめくりで表示させる表示装置、出力装置、表示プログラム及び出力プログラムを提供することを目的とする。
【課題を解決するための手段】
【０００７】
上記課題を解決するため、請求項１に係る発明の表示装置では、画像を表示する表示手段を備えた複数枚の電子ペーパと、前記複数枚の電子ペーパを綴じるリング部材と、画像を表示するための情報を前記電子ペーパへ出力し、画像を前記表示手段に表示する出力装置とを備えた表示装置であって、前記出力装置は、複数ページの画像からなる画像コンテンツを記憶するコンテンツ記憶手段と、前記電子ペーパがめくられたことを検出するめくり検出手段と、前記表示手段の並び順序を表示手段順序とし、ｘを正の整数とするとき、前記めくり検出手段により前記電子ペーパがめくられたことが検出されると、前記表示手段順序が（ｘ＋１）番目である表示手段には１番目の表示手段に表示させる画像よりも４ページ以上後ろの画像を表示させ、２番目からｘ番目までの表示手段にはその表示手段の１つ前の表示手段に表示させる画像よりも１ページ後ろの画像を表示させるように、前記画像コンテンツの画像を前記複数の表示手段にそれぞれ表示させるめくり表示制御手段とを備えている。
【０００８】
また、請求項２に係る発明の表示装置では、請求項１に記載の発明の構成に加えて、ｙをｘよりも大きい正の整数とするとき、前記めくり表示制御手段が、前記表示手段順序が（ｙ＋１）番目の表示手段に１番目の表示手段に表示させる画像よりも５ページ以上後ろの画像を表示させることを特徴とする。
【０００９】
また、請求項３に係る発明の表示装置では、請求項２に記載の発明の構成に加えて、１番目の表示手段で表示させる画像と（ｙ＋１）番目の表示手段で表示させる画像とのページ差である離頁数Ｙが、１番目の表示手段で表示させる画像と（ｘ＋１）番目の表示手段で表示させる画像とのページ差である離頁数Ｘの２倍以上となるように、前記めくり表示制御手段が各表示手段に画像を表示させることを特徴とする。
【００１０】
また、請求項４に係る発明の表示装置では、請求項２に記載の発明の構成に加えて、前記離頁数Ｙが前記離頁数Ｘの２倍になるように、前記めくり表示制御手段が各表示手段に画像を表示させることを特徴とする。
【００１１】
また、請求項５に係る発明の表示装置では、請求項１乃至４のいずれかに記載の発明の構成に加えて、ｚをｘよりも大きい正の整数とするとき、前記めくり表示制御手段が、（ｘ＋１）番目からｚ番目までの表示手段に同じページの画像を表示させることを特徴とする。
【００１２】
また、請求項６に係る発明の表示装置では、請求項１乃至５のいずれかに記載の発明の構成に加えて、ｘが２以上であることを特徴とする。
【００１３】
また、請求項７に係る発明の表示装置では、請求項１乃至６のいずれかに記載の発明の構成に加えて、前記めくり表示制御手段が、前記表示手段順序の最後の前記表示手段に、１番目の前記表示手段に表示されている画像よりも１ページ前の画像を表示させることを特徴とする。
【００１４】
また、請求項８に係る発明の表示装置では、請求項７に記載の発明の構成に加えて、前記めくり表示制御手段が、最後の前記表示手段の１つ前から所定数前の前記表示手段に、最後の前記表示手段に表示されている画像よりも、最後の前記表示手段との順序の差分だけ前のページの画像を表示させることを特徴とする。
【００１５】
また、請求項９に係る発明の表示装置では、請求項１乃至８のいずれかに記載の発明の構成に加えて、前記電子ペーパは、前記リング部材内における前記電子ペーパの位置を検出する位置検出手段と、前記電子ペーパと他の電子ペーパとを識別するための情報である識別情報を記憶する識別情報記憶手段とを備え、前記出力装置は、前記電子ペーパから、前記電子ペーパの前記位置検出手段により検出された位置を示す情報である位置情報を前記電子ペーパの前記識別情報記憶手段に記憶されている前記識別情報と共に取得する位置情報取得手段と、前記位置情報取得手段により取得された前記位置情報と前記識別情報とに基づいて、前記表示装置に綴じられている各電子ペーパの綴じ順序を算出し、前記綴じ順序に基づいて前記表示手段順序を決定する順序決定手段とを備えている。
【００１６】
また、請求項１０に係る発明の表示装置では、請求項９に記載の発明の構成に加えて、前記電子ペーパは貫通孔を備え、前記貫通孔に前記リング部材が貫通されることにより前記電子ペーパが綴じられることを特徴とする。
【００１７】
また、請求項１１に係る発明の表示装置では、請求項１０に記載の発明の構成に加えて、前記リング部材は、前記電子ペーパの前記貫通孔に接触する位置に電気抵抗体を備え、前記電子ペーパは、前記貫通孔に接触した前記電気抵抗体の電圧値を計測する電圧値計測手段を備え、前記位置検出手段は、前記電圧計測手段により計測された前記電圧値に基づいて、前記リング部材内における当該電子ペーパの位置を検出することを特徴とする。
【００１８】
また、請求項１２に係る発明の表示装置では、画像を表示する表示手段を備えた複数枚の電子ペーパと、前記複数枚の電子ペーパを綴じるリング部材と、画像を表示するための情報を前記電子ペーパへ出力し、画像を前記表示手段に表示する出力装置とを備えた表示装置であって、前記出力装置は、複数ページの画像からなる画像コンテンツを記憶するコンテンツ記憶手段と、前記表示手段の並び順序を表示手段順序とし、ｘを正の整数とするとき、前記コンテンツ記憶手段に記憶された画像コンテンツを表示させる際に、表示手段順序が（ｘ＋１）番目の表示手段には１番目の表示手段に表示させる画像よりも４ページ以上後ろの画像を表示させ、前記表示手段順序が２番目からｘ番目までの表示手段にはその表示手段の１つ前の表示手段に表示させる画像よりも１ページ後ろの画像を表示させるように、前記コンテンツの画像を前記複数の表示手段にそれぞれ表示させる表示制御手段とを備えている。
【００１９】
また、請求項１３に係る発明の出力装置では、画像を表示する表示手段を備えた複数枚の電子ペーパをリング部材で綴じた表示装置において、画像を表示するための情報を前記電子ペーパへ出力し、画像を前記表示手段に表示する出力装置であって、複数ページの画像からなる画像コンテンツを記憶するコンテンツ記憶手段と、前記電子ペーパがめくられたことを検出するめくり検出手段と、前記表示手段の並び順序を表示手段順序とし、ｘを正の整数とするとき、前記めくり検出手段により前記電子ペーパがめくられたことが検出されると、前記表示手段順序が（ｘ＋１）番目である表示手段には１番目の表示手段に表示させる画像よりも４ページ以上後ろの画像を表示させ、２番目からｘ番目までの表示手段にはその表示手段の１つ前の表示手段に表示させる画像よりも１ページ後ろの画像を表示させるように、前記画像コンテンツの画像を前記複数の表示手段にそれぞれ表示させるめくり表示制御手段とを備えている。
【００２０】
また、請求項１４に係る発明の出力装置では、請求項１３に記載の発明の構成に加えて、ｙをｘよりも大きい正の整数とするとき、前記めくり表示制御手段が、前記表示手段順序が（ｙ＋１）番目の表示手段に１番目の表示手段に表示させる画像よりも５ページ以上後ろの画像を表示させることを特徴とする。
【００２１】
また、請求項１５に係る発明の出力装置では、請求項１４に記載の発明の構成に加えて、１番目の表示手段で表示させる画像と（ｙ＋１）番目の表示手段で表示させる画像とのページ差である離頁数Ｙが、１番目の表示手段で表示させる画像と（ｘ＋１）番目の表示手段で表示させる画像とのページ差である離頁数Ｘの２倍以上となるように、前記めくり表示制御手段が各表示手段に画像を表示させることを特徴とする。
【００２２】
また、請求項１６に係る発明の出力装置では、請求項１５に記載の発明の構成に加えて、前記離頁数Ｙが前記離頁数Ｘの２倍になるように、前記めくり表示制御手段が各表示手段に画像を表示させることを特徴とする。
【００２３】
また、請求項１７に係る発明の出力装置では、請求項１３乃至１６のいずれかに記載の発明の構成に加えて、ｚをｘよりも大きい正の整数とするとき、前記めくり表示制御手段が、（ｘ＋１）番目からｚ番目までの表示手段に同じページの画像を表示させることを特徴とする。
【００２４】
また、請求項１８に係る発明の出力装置では、請求項１５乃至１７のいずれかに記載の発明の構成に加えて、ｘが２以上であることを特徴とする。
【００２５】
また、請求項１９に係る発明の出力装置では、請求項１３乃至１８のいずれかに記載の発明の構成に加えて、前記めくり表示制御手段が、前記表示手段順序の最後の前記表示手段に、１番目の前記表示手段に表示されている画像のページの１つ前のページの画像を表示させることを特徴とする。
【００２６】
また、請求項２０に係る発明の出力装置では、請求項１９に記載の発明の構成に加えて、前記めくり表示制御手段が、最後の前記表示手段の１つ前から所定数前の前記表示手段に、最後の前記表示手段に表示されている画像のページよりも、最後の前記表示手段との順序の差分だけ前のページの画像を表示させることを特徴とする。
【００２７】
また、請求項２１に係る発明の出力装置では、請求項１３乃至２０のいずれかに記載の発明の構成に加えて、前記電子ペーパがリング部材により綴じられ、前記リング部材内における前記電子ペーパの位置を検出する位置検出手段と、前記電子ペーパと他の電子ペーパとを識別するための情報である識別情報を記憶する識別情報記憶手段とを備えており、前記電子ペーパから、前記電子ペーパの前記位置検出手段により検出された位置を示す情報である位置情報を前記電子ペーパの前記識別情報記憶手段に記憶されている前記識別情報と共に取得する位置情報取得手段と、前記位置情報取得手段により取得された前記位置情報と前記識別情報とに基づいて、前記表示装置に綴じられている各電子ペーパの綴じ順序を算出し、前記綴じ順序に基づいて前記表示手段順序を決定する順序決定手段とを備えている。
【００２８】
また、請求項２２に係る発明の出力装置では、画像を表示する表示手段を備えた複数枚の電子ペーパをリング部材で綴じた表示装置において、画像を表示するための情報を前記電子ペーパへ出力し、画像を前記表示手段に表示する出力装置であって、複数ページの画像からなる画像コンテンツを記憶するコンテンツ記憶手段と、前記表示手段の並び順序を表示手段順序とし、ｘを正の整数とするとき、前記コンテンツ記憶手段に記憶された画像コンテンツを表示させる際に、表示手段順序が（ｘ＋１）番目の表示手段には１番目の表示手段に表示させる画像よりも４ページ以上後ろの画像を表示させ、前記表示手段順序が２番目からｘ番目までの表示手段にはその表示手段の１つ前の表示手段に表示させる画像よりも１ページ後ろの画像を表示させるように、前記コンテンツの画像を前記複数の表示手段にそれぞれ表示させる表示制御手段とを備えている。
【００２９】
また、請求項２３に係る発明の表示プログラムでは、請求項１乃至１２のいずれかに記載の表示装置の各種処理手段としてコンピュータを動作させる。
【００３０】
また、請求項２４に係る発明の出力プログラムでは、請求項１３乃至２１のいずれかに記載の出力装置の各種処理手段としてコンピュータを動作させる。
【００３１】
また、請求項２５に係る発明の出力プログラムでは、請求項２２に記載の出力装置の各種処理手段としてコンピュータを動作させる。
【発明の効果】
【００３２】
請求項１に係る発明の表示装置では、出力装置のコンテンツ記憶手段は、複数ページの画像からなる画像コンテンツを記憶し、めくり検出手段は、電子ペーパがめくられたことを検出し、めくり表示制御手段は、表示手段の並び順序を表示手段順序とし、ｘを正の整数とするとき、めくり検出手段により電子ペーパがめくられたことが検出されると、表示手段順序が（ｘ＋１）番目である表示手段には１番目の表示手段に表示させる画像よりも４ページ以上後ろの画像を表示させ、２番目からｘ番目までの表示手段にはその表示手段の１つ前の表示手段に表示させる画像よりも１ページ後ろの画像を表示させるように、画像コンテンツの画像を複数の表示手段にそれぞれ表示させることができる。したがって、（ｘ＋１）番目の表示手段には、１番目の表示手段から必ず４以上の所定数後のページ内容を表示させることができるので、コンテンツのページ数が多い場合に所望のページを表示させるまでに行わなければならないめくり動作をわかりやすくすることができ、コンテンツがページ順にすべてのページを表示させている場合に比べて、少ない回数ですむ。よって、ユーザの手間を軽減させることができる。
【００３３】
また、請求項２に係る発明の表示装置では、請求項１に記載の発明の効果に加えて、ｙをｘよりも大きい正の整数とするとき、めくり表示制御手段が、表示手段順序が（ｙ＋１）番目の表示手段に１番目の表示手段に表示させる画像よりも５ページ以上後ろの画像を表示させることができる。したがって、ｘ番目の表示手段と（ｘ＋１）番目の表示手段との間に加えて、１番目の表示手段と（ｙ＋１）番目の表示手段との間を５以上のページを飛ばして表示させることができるので、コンテンツのページ数が多い場合に所望のページを表示させるまでに行わなければならないめくり動作は、コンテンツがページ順にすべてのページを表示させている場合に比べて、少ない回数ですむ。よって、ユーザの手間を軽減させることができる。さらに、ｘ番目と（ｘ＋１）番目との間でページが飛ばされているだけよりも、より所望のページへたどり着きやすく、ユーザの手間を軽減させることができる。
【００３４】
また、請求項３に係る発明の表示装置では、請求項２に記載の発明の効果に加えて、１番目の表示手段で表示させる画像と（ｙ＋１）番目の表示手段で表示させる画像とのページ差である離頁数Ｙが、１番目の表示手段で表示させる画像と（ｘ＋１）番目の表示手段で表示させる画像とのページ差である離頁数Ｘの２倍以上となるように、めくり表示制御手段が各表示手段に画像を表示させることができる。したがって、後の方が多くのページが飛ばされていることになるので、より後ろのページを表示させたい場合には、より多くのページをめくればよく、ユーザが扱いやすい。
【００３５】
また、請求項４に係る発明の表示装置では、請求項２に記載の発明の効果に加えて、離頁数Ｙが離頁数Ｘの２倍になるように、めくり表示制御手段が各表示手段に画像を表示させることができる。したがって、飛ばされているページ数が２倍なので、表示されているページがどのページであるかをわかりやすく、ユーザが扱いやすい。
【００３６】
また、請求項５に係る発明の表示装置では、請求項１乃至４のいずれかに記載の発明の効果に加えて、ｚをｘよりも大きい正の整数とするとき、めくり表示制御手段が、（ｘ＋１）番目からｚ番目までの表示手段に同じページの画像を表示させることができる。したがって、２ページ以上飛ばされた先のページが表示されている（ｘ＋１）番目の表示手段をピンポイントで開くよりも、（ｚ−ｘ）枚の表示手段に飛ばされた先のページが表示されているので、飛ばされた先のページを表示させやすい。
【００３７】
また、請求項６に係る発明の表示装置では、請求項１乃至５のいずれかに記載の発明の効果に加えて、ｘを２以上とすることができる。したがって、少なくとも１番目及び２番目には連続したページが表示されており、１番目からｘ番目までには連続したページが表示されている。よって、１番目に表示されているページの近くのページを表示させたい場合には１枚ずつめくったり、ｘ枚以下の数枚ずつめくったりして、手間なく所望のページを表示させることができる。多数のページがあるコンテンツの所望のページを表示させる場合には、飛ばされた先のページを表示させることにより、所望のページの近くのページが表示させた後に、１枚ずつめくったり、ｘ枚以下の数枚ずつめくったりして、所望のページを表示させることができる。
【００３８】
また、請求項７に係る発明の表示装置では、請求項１乃至６のいずれかに記載の発明の効果に加えて、めくり表示制御手段が、表示手段順序の最後の表示手段に、１番目の表示手段に表示されている画像よりも１ページ前の画像を表示させることができる。したがって、表示させたページよりも前のページに戻ることもでき、便利である。
【００３９】
また、請求項８に係る発明の表示装置では、請求項７に記載の発明の効果に加えて、めくり表示制御手段が、最後の表示手段の１つ前から所定数前の表示手段に、最後の表示手段に表示されている画像よりも、最後の表示手段との順序の差分だけ前のページの画像を表示させることができる。したがって、表示させたページよりも前のページに戻ることもでき、便利であり、１ページずつ戻るだけでなく、１〜所定数ページずつ戻ることができるので、より便利である。
【００４０】
また、請求項９に係る発明の表示装置では、請求項１乃至８のいずれかに記載の発明の効果に加えて、電子ペーパの位置検出手段は、リング部材内における電子ペーパの位置を検出し、識別情報記憶手段は、電子ペーパと他の電子ペーパとを識別するための情報である識別情報を記憶することができる。そして、出力装置は、位置情報取得手段は、電子ペーパから、電子ペーパの位置検出手段により検出された位置を示す情報である位置情報を電子ペーパの識別情報記憶手段に記憶されている識別情報と共に取得し、順序決定手段は、位置情報取得手段により取得された位置情報と識別情報とに基づいて、表示装置に綴じられている各電子ペーパの綴じ順序を算出し、綴じ順序に基づいて表示手段順序を決定することができる。したがって、確実に電子ペーパの綴じ順序を算出して、表示手段の順序を決定することができる。
【００４１】
また、請求項１０に係る発明の表示装置では、請求項９に記載の発明の効果に加えて、電子ペーパは貫通孔を備え、貫通孔にリング部材が貫通されることにより電子ペーパを綴じることができる。したがって、簡易な構造で電子ペーパを綴じ、綴じられている電子ペーパを循環させて使用することができる。
【００４２】
また、請求項１１に係る発明の表示装置では、請求項１０に記載の発明の効果に加えて、リング部材が電子ペーパの貫通孔に接触する位置に電気抵抗体を備えているので、電子ペーパの電圧値計測手段は、貫通孔に接触した電気抵抗体の電圧値を計測することができる。そして、位置検出手段は、電圧計測手段により計測された電圧値に基づいて、リング部材内における電子ペーパの位置を検出することができる。したがって、確実に電子ペーパの綴じ順序を算出して、表示手段の順序を決定することができる。
【００４３】
また、請求項１２に係る発明の表示装置では、出力装置のコンテンツ記憶手段は、複数ページの画像からなる画像コンテンツを記憶し、表示制御手段は、表示手段の並び順序を表示手段順序とし、ｘを正の整数とするとき、コンテンツ記憶手段に記憶された画像コンテンツを表示させる際に、表示手段順序が（ｘ＋１）番目の表示手段には１番目の表示手段に表示させる画像よりも４ページ以上後ろの画像を表示させ、表示手段順序が２番目からｘ番目までの表示手段にはその表示手段の１つ前の表示手段に表示させる画像よりも１ページ後ろの画像を表示させるように、コンテンツの画像を複数の表示手段にそれぞれ表示させることができる。したがって、１番目の表示手段と（ｘ＋１）番目の表示手段との間で４ページ以上ページを飛ばして表示させることができるので、コンテンツのページ数が多い場合に所望のページを表示させるまでに行わなければならないめくり動作は、コンテンツがページ順にすべてのページを表示させている場合に比べて、少ない回数ですむ。よって、ユーザの手間を軽減させることができる。なお、１番目の表示手段と（ｘ＋１）番目の表示手段との間で４以上ページを飛ばして表示させるのは、当初コンテンツを表示させるときのみでもよいし、常に１番目の表示手段と（ｘ＋１）番目の表示手段との間で４以上ページを飛ばして表示させてもよい。
【００４４】
また、請求項１３に係る発明の出力装置では、コンテンツ記憶手段は、複数ページの画像からなる画像コンテンツを記憶し、めくり検出手段は、電子ペーパがめくられたことを検出し、めくり表示制御手段は、表示手段の並び順序を表示手段順序とし、ｘを正の整数とするとき、めくり検出手段により電子ペーパがめくられたことが検出されると、表示手段順序が（ｘ＋１）番目である表示手段には１番目の表示手段に表示させる画像よりも４ページ以上後ろの画像を表示させ、２番目からｘ番目までの表示手段にはその表示手段の１つ前の表示手段に表示させる画像よりも１ページ後ろの画像を表示させるように、画像コンテンツの画像を複数の表示手段にそれぞれ表示させることができる。したがって、（ｘ＋１）番目の表示手段には、１番目の表示手段から必ず４以上の所定数後のページ内容を表示させることができるので、コンテンツのページ数が多い場合に所望のページを表示させるまでに行わなければならないめくり動作をわかりやすくすることができ、コンテンツがページ順にすべてのページを表示させている場合に比べて、少ない回数ですむ。よって、ユーザの手間を軽減させることができる。
【００４５】
また、請求項１４に係る発明の出力装置では、請求項１３に記載の発明の効果に加えて、ｙをｘよりも大きい正の整数とするとき、めくり表示制御手段が、表示手段順序が（ｙ＋１）番目の表示手段に１番目の表示手段に表示させる画像よりも５ページ以上後ろの画像を表示させることができる。したがって、ｘ番目の表示手段と（ｘ＋１）番目の表示手段との間に加えて、ｘ番目より後のｙ番目の表示手段と（ｙ＋１）番目の表示手段との間も２ページ以上のページを飛ばして表示させることができるので、コンテンツのページ数が多い場合に所望のページを表示させるまでに行わなければならないめくり動作は、コンテンツがページ順にすべてのページを表示させている場合に比べて、少ない回数ですむ。よって、ユーザの手間を軽減させることができる。さらに、ｘ番目と（ｘ＋１）番目との間でページが飛ばされているだけよりも、より所望のページへたどり着きやすく、ユーザの手間を軽減させることができる。
【００４６】
また、請求項１５に係る発明の出力装置では、請求項１４に記載の発明の効果に加えて、１番目の表示手段で表示させる画像と（ｙ＋１）番目の表示手段で表示させる画像とのページ差である離頁数Ｙが、１番目の表示手段で表示させる画像と（ｘ＋１）番目の表示手段で表示させる画像とのページ差である離頁数Ｘの２倍以上となるように、めくり表示制御手段が各表示手段に画像を表示させることができる。したがって、後の方が多くのページが飛ばされていることになるので、より後ろのページを表示させたい場合には、より多くのページをめくればよく、ユーザが扱いやすい。
【００４７】
また、請求項１６に係る発明の出力装置では、請求項１５に記載の発明の効果に加えて、離頁数Ｙが離頁数Ｘの２倍になるように、めくり表示制御手段が各表示手段に画像を表示させることができる。したがって、飛ばされているページ数が同じなので、表示されているページがどのページであるかをわかりやすく、ユーザが扱いやすい。
【００４８】
また、請求項１７に係る発明の出力装置では、請求項１３乃至１６のいずれかに記載の発明の効果に加えて、ｚをｘよりも大きい正の整数とするとき、めくり表示制御手段が、（ｘ＋１）番目からｚ番目までの表示手段に同じページの画像を表示させることができる。したがって、２ページ以上飛ばされた先のページが表示されている（ｘ＋１）番目の表示手段をピンポイントで開くよりも、（ｚ−ｘ）枚の表示手段に飛ばされた先のページが表示されているので、飛ばされた先のページを表示させやすい。
【００４９】
また、請求項１８に係る発明の出力装置では、請求項１５乃至１７のいずれかに記載の発明の効果に加えて、ｘが２以上とすることができる。よって、１番目に表示されているページの近くのページを表示させたい場合には１枚ずつめくったり、ｘ枚以下の数枚ずつめくったりして、手間なく所望のページを表示させることができる。多数のページがあるコンテンツの所望のページを表示させる場合には、飛ばされた先のページを表示させることにより、所望のページの近くのページが表示させた後に、１枚ずつめくったり、ｘ枚以下の数枚ずつめくったりして、所望のページを表示させることができる。
【００５０】
また、請求項１９に係る発明の出力装置では、請求項１３乃至１８のいずれかに記載の発明の効果に加えて、めくり表示制御手段が、表示手段順序の最後の表示手段に、１番目の表示手段に表示されている画像のページの１つ前のページの画像を表示させることができる。したがって、表示させたページよりも前のページに戻ることもでき、便利である。
【００５１】
また、請求項２０に係る発明の出力装置では、請求項１９に記載の発明の効果に加えて、めくり表示制御手段が、最後の表示手段の１つ前から所定数前の表示手段に、最後の表示手段に表示されている画像のページよりも、最後の表示手段との順序の差分だけ前のページの画像を表示させることができる。したがって、表示させたページよりも前のページに戻ることもでき、便利であり、１ページずつ戻るだけでなく、１〜所定数ページずつ戻ることができるので、より便利である。
【００５２】
また、請求項２１に係る発明の出力装置では、請求項１３乃至２０のいずれかに記載の発明の効果に加えて、位置情報取得手段は、電子ペーパから、電子ペーパの位置検出手段により検出された位置を示す情報である位置情報を電子ペーパの識別情報記憶手段に記憶されている識別情報と共に取得し、順序決定手段は、位置情報取得手段により取得された位置情報と識別情報とに基づいて、表示装置に綴じられている各電子ペーパの綴じ順序を算出し、綴じ順序に基づいて表示手段順序を決定することができる。したがって、確実に電子ペーパの綴じ順序を算出して、表示手段の順序を決定することができる。
【００５３】
また、請求項２２に係る発明の出力装置では、コンテンツ記憶手段は、複数ページの画像からなる画像コンテンツを記憶し、表示制御手段は、表示手段の並び順序を表示手段順序とし、ｘを正の整数とするとき、コンテンツ記憶手段に記憶された画像コンテンツを表示させる際に、表示手段順序が（ｘ＋１）番目の表示手段には１番目の表示手段に表示させる画像よりも４ページ以上後ろの画像を表示させ、表示手段順序が２番目からｘ番目までの表示手段にはその表示手段の１つ前の表示手段に表示させる画像よりも１ページ後ろの画像を表示させるように、コンテンツの画像を複数の表示手段にそれぞれ表示させることができる。したがって、１番目の表示手段と（ｘ＋１）番目の表示手段との間で４ページ以上ページを飛ばして表示させることができるので、コンテンツのページ数が多い場合に所望のページを表示させるまでに行わなければならないめくり動作は、コンテンツがページ順にすべてのページを表示させている場合に比べて、少ない回数ですむ。よって、ユーザの手間を軽減させることができる。なお、１番目の表示手段と（ｘ＋１）番目の表示手段との間で４以上ページを飛ばして表示させるのは、当初コンテンツを表示させるときのみでもよいし、常に１番目の表示手段と（ｘ＋１）番目の表示手段との間で４以上ページを飛ばして表示させてもよい。
【００５４】
また、請求項２３に係る発明の表示プログラムでは、請求項１乃至１２のいずれかに記載の表示装置の各種処理手段としてコンピュータを動作させる。したがって、請求項１乃至１２のいずれかの効果と同様の効果を得ることができる。
【００５５】
また、請求項２４に係る発明の出力プログラムでは、請求項１３乃至２１のいずれかに記載の出力装置の各種処理手段としてコンピュータを動作させる。したがって、請求項１３乃至２１のいずれかの効果と同様の効果を得ることができる。
【００５６】
また、請求項２５に係る発明の出力プログラムでは、請求項２２に記載の出力装置の各種処理手段としてコンピュータを動作させる。したがって、請求項２２に記載の効果と同様の効果を得ることができる。
【発明を実施するための最良の形態】
【００５７】
以下、本発明の第一の実施の形態から第五の実施の形態について、図面を参照して説明する。まず、図１乃至図９を参照して、第一の実施の形態〜第五の実施の形態に共通する表示装置１について説明する。その後、各実施の形態について説明する。第一の実施の形態〜第五の実施の形態では、表示装置１の電子ペーパ５の表示部３６，４６に表示されるコンテンツのページの並びが異なる。
【００５８】
まず、図１〜図９を参照して、表示装置１の構成について説明する。表示装置１は、複数の電子ペーパを備えたバインダタイプである。図１は、表示装置１の外観を模式的に示した外観図である。図２は、電源供給用貫通孔１１に電源供給用リング２１が貫通されている状態を示す模式図であり、図３は、電源供給用リング２１の断面を示す模式図である。そして、図４は、表示装置１の位置検出手段である位置検出用リング２４の説明図であり、図５は、位置検出用リング２４の断面を示す模式図である。そして、図６は、表示装置１の電気的構成を示すブロック図である。図７は、マスタペーパ３のＲＡＭ３３のデータ構造を示す構成図である。図８は、スレーブペーパ４のＲＡＭ４３のデータ構造を示す構成図である。図９は、第一ページ順序テーブル記憶エリア３３１に記憶された第一ページ順序テーブルのデータ構造を示す構成図である。
【００５９】
図１に示すように、表示装置１は、片面に表示部３６を備えた電子ペーパである略長方形のマスタペーパ３と、マスタペーパ３と同様の形状で表示部４６（図６参照）を備えたスレーブペーパ４を備えている。そして、マスタペーパ３及び各スレーブペーパ４は、４つの貫通孔１１〜１４を備え、それぞれの貫通孔を貫通する４つのリング２１〜２４からなるリング部材２により束ねて綴じられている。本実施形態では、スレーブペーパ４が９枚の場合を例にして説明する。以下、マスタペーパ３及びスレーブペーパ４を総称して電子ペーパ５と呼ぶこととする。なお、マスタペーパ３は出力装置として機能しており、マスタペーパ３及びスレーブペーパ４の表示部３６，４６に表示させる画像の制御を行う。
【００６０】
次に、図１、図２、図３及び図５を参照して、電子ペーパ５のリング部材２について説明する。電子ペーパ５には、図１に示すように、電源供給用貫通孔１１，接地用貫通孔１２，通信用貫通孔１３，位置検出用貫通孔１４の４つの貫通孔が設けられている。そして、リング部材２は、電源供給用リング２１，接地用リング２２，通信用リング２３，位置検出用リング２４の４つのリングで構成されている。電源供給用貫通孔１１には電源供給用リング２１を挿入し、接地用貫通孔１２には接地用リング２２を挿入し、通信用貫通孔１３には通信用リング２３を挿入し、位置検出用貫通孔１４には位置検出用リング２４を挿入して、電子ペーパ５が綴じられる。また、各リング２１〜２４はマスタペーパ３に固定されている。そして、スレーブペーパ４の各貫通孔１１〜１４の周囲には導電性のブラシが貫通孔の中心に向かって設置されており、ブラシと各リングが確実に接触するようになっている。例えば、電源供給用貫通孔１１では、図２に示すように、電源供給用貫通孔１１内の長手方向の側面にはそれぞれブラシ１１０、１１１が設けられており、電源供給用貫通孔１１内を貫通した電源供給用リング２１に接触している。なお、ブラシ１１０，１１１は、スレーブペーパ４に設けられスレーブペーパ４に電源を供給する電源回路（図示外）に接続している。
【００６１】
電源供給用リング２１は、マスタペーパ３に備えられているバッテリー５４（図６参照）に接続され、スレーブペーパ４へ電源を供給する。また、接地用リング２２は、マスタペーパ３に備えられている０Ｖのアース５５（図６参照）に接続され、スレーブペーパ４からの接地に利用される。通信用リング２３は、マスタペーパ３に備えられている内部通信部３５（図６参照）及びスレーブペーパ４に備えられている内部通信部４５（図６参照）を接続し、電子ペーパ５間で情報のやり取りを行うのに使用される。位置検出用リング２４は、電子ペーパ５がどのような順でリング部材２に綴じられているかを検出するのに利用される。
【００６２】
ここで、図３を参照して、電源供給用リング２１について説明する。図３は、電源供給用リング２１の断面を示す模式図である。図３に示すように、電源供給用リング２１は、その端部１１９１，１１９２で切断された開閉式の環であり、可撓性を有している。そして、ユーザは、端部１１９１，１１９２を離す、すなわち、開閉部１１９を開くことにより、リングを撓ませ、開閉部１１９から電子ペーパ５を着脱させることができる。ここでは、図３に示すように、電源供給用リング２１の開閉部１１９の図３における右側の端部を端部１１９１、左側の端部を端部１１９２とする。
【００６３】
電源供給用リング２１の内部は絶縁体１１３であり、その絶縁体１１３は表面が導体１１４で覆われている。そして、図３に示すように、電源供給用リング２１には凸部１１２が設けられており、この凸部１１２は導体１１４で覆われていない。さらに、端部１１９１，１１９２も、導体１１４で覆われておらず、開閉部１１９が閉じられている状態において、導体同士が接触することはない。そして、絶縁体１１３の内部には１本の導線１１６が埋め込まれている。この導線１１６の一端は凸部１１２から外部接続可能となっており、他の一端は導体１１４の端部１１９１側の端に設けられた接続点１１６２で導体１１４に接続されている。
【００６４】
なお、マスタペーパ３の電源供給用貫通孔１１内のマスタペーパ３の端側には、１つの凹部が設けられている。そして、その凹部には、バッテリー５４（図６参照）に接続された導線の一端が接続されている。マスタペーパ３の凹部に電源供給用リング２１の凸部１１２が嵌合され、マスタペーパ３に電源供給用リング２１が固定される。そして、導線１１６にはバッテリー５４から５Ｖの電圧が印加され、導線１１６の接続点１１６２から導体１１４に電流が流れる。
【００６５】
また、スレーブペーパ４の電源供給用貫通孔１１の内側には、導電性のブラシ１１０，１１１が設けられており、導体１１４と接触している。そして、このブラシから取得された電源がスレーブペーパ４を駆動させるための電源とされる。
【００６６】
次に、図４及び図５を参照して、位置検出用リング２４及び位置検出用リング２４による電子ペーパ５の綴じ順序の検出方法について説明する。図５に示すように、位置検出用リング２４は、その端部１４９１，１４９２で切断された開閉式の環であり、可撓性を有している。そして、ユーザは、端部１４９１，１４９２を離す、すなわち、開閉部１４９を開くことにより、リングを撓ませ、開閉部１４９から電子ペーパ５を着脱させることができる。ここでは、図５に示す、位置検出用リング２４の開閉部１４９の図５における紙面右側の端部を端部１４９１、左側の端部を端部１４９２とする。
【００６７】
位置検出用リング２４の内部は絶縁体１４３であり、その絶縁体１４３は表面がカーボン等の電気抵抗体１４４で覆われている。そして、図５に示すように、位置検出用リング２４には凸部１４１，１４２が設けられており、この凸部１４１，１４２は電気抵抗体１４４で覆われていない。さらに、端部１４９１，１４９２も、電気抵抗体１４４で覆われておらず、開閉部１４９が綴じられている状態において、電気抵抗体１４４同士が接触することはない。
【００６８】
さらに、開閉部１４９の端部１４９１には、位置検出用リング２４の開閉を検出するスイッチ１４８が設けられている。このスイッチ１４８は、感圧センサであり、位置検出用リング２４が綴じられているとＯＮを検出し、開放されているとＯＦＦの状態となる。そして、このスイッチ１４８は、位置検出用リング２４の絶縁体１４３の内部に埋め込まれた導線１４８１の一端に接続され、導線１４８１の他端は凸部１４２から外部に接続可能となっている。
【００６９】
なお、マスタペーパ３の位置検出用貫通孔１４の内部には、２つの凹部が設けられており、マスタペーパ３が位置検出用リング２４に固定される。この凹部は、マスタペーパ３の短手方向に平行に向かい合う位置に設けられている。そして、マスタペーパ３の内側の凹部には、バッテリー５４（図６参照）に接続された導線の一端及び開閉検出部３９（図６参照）に接続された導線の一端が接続されており、外側の凹部には、アース５５（図６参照）に接続された導線の一端が接続されている。
【００７０】
そして、位置検出用リング２４の凸部１４１，１４２にマスタペーパ３の凹部が嵌合され、位置検出用リング２４はマスタペーパ３に固定されている。したがって、導線１４６にはバッテリー５４から５Ｖの電圧が印加され、導線１４６の接続点１４６２から電気抵抗体１４４に電流が流れ、導線１４７の接続点１４７２から導線１４７へ、そしてアース５５へ電流が流れる。ここで、端部１４９１，１４９２は電気抵抗体１４４で覆われていないので、開閉部１４９が綴じられている状態で端部１４９１，１４９２がショートすることがない。バッテリー５４から供給された電力は、電気抵抗体１４４を流れる間に、電気抵抗体１４４の抵抗により電圧は下がり、位置検出用リング２４の端部１４９１から端部１４９２へ向かって、電圧が下がっていく。
【００７１】
また、スレーブペーパ４には、電圧計である電圧計測部４８（図６参照）が設けられている。そして、位置検出用貫通孔１４に設けられたブラシが電圧計測部４８の端子として機能し、位置検出用貫通孔１４に挿入されている位置検出用リング２４に流れている電流の電圧を計測する。そして、電圧計測部４８で計測された電圧値は、位置検出部４７において、０〜２５５の値にＡ／Ｄ変換される。位置検出用リング２４では、位置検出用リング２４の端部１４９１から端部１４９２へ向かって電圧が下がるので、スレーブペーパ４の位置検出用リング２４内での配置位置により、電圧計測部４８で計測される電圧は異なった値となる。そこで、位置検出用リング２４の中でそのスレーブペーパ４が０〜２５５のどの位置にあるかを検出し、電子ペーパ５の綴じ順序を検出することができる。なお、以下、Ａ／Ｄ変換した値をＡ／Ｄ変換値と呼ぶこととする。後述するペーパ順序管理テーブル（図９参照）においては、このＡ／Ｄ変換値が位置検出用リング２４内での電子ペーパ５の位置を示す「環内位置」の値として使用される。
【００７２】
図４に示すように、端部１４９１にスレーブペーパ４が存在する場合には、スレーブペーパ４の電圧計測部４８において計測された電圧値が位置検出部４７においてＡ／Ｄ変換値「２５５」と検出される。そして、図４における端部１４９１の右隣にスレーブペーパ４が存在する場合には、Ａ／Ｄ変換値は「２５４」と検出される。また、端部１４９２にスレーブペーパ４が存在する場合には、Ａ／Ｄ変換値は「０」と検出され、図４における端部１４９２の左隣にスレーブペーパ４が存在する場合には、Ａ／Ｄ変換値は「１」と検出される。そして、マスタペーパ３の図４における右隣にスレーブペーパ４が存在する場合にはＡ／Ｄ変換値は「１２９」と検出され、さらに右隣に存在する場合には「１３０」と検出される。また、マスタペーパ３の左隣にスレーブペーパ４が存在する場合にはＡ／Ｄ変換値は「１２７」と検出され、さらに左隣に存在する場合には「１２６」と検出され、さらに左隣に存在する場合には「１２５」と検出される。なお、マスタペーパ３は、位置検出用リング２４において、Ａ／Ｄ変換値が「１２８」に対応する位置に固定されている。なお、ここでは簡単のためにスレーブペーパ４が４枚の場合を図示している。
【００７３】
次に、図６を参照して、表示装置１の電気的構成について説明する。図６に示すように、表示装置１は、マスタペーパ３とスレーブペーパ４とから構成されている。なお、スレーブペーパ４は複数接続可能であるが、電気的構成はどのスレーブペーパ４でも同様であるため、図６においては１枚のスレーブペーパ４のみを記載している。
【００７４】
マスタペーパ３は、マスタペーパ３の全体を制御するＣＰＵ３１と、プログラム等を記憶したＲＯＭ３２と、データを一時的に記憶するＲＡＭ３３と、マスタペーパ３の製造番号を記憶したＥＥＰＲＯＭ３４とを備えている。そして、ＲＯＭ３２とＲＡＭ３３とＥＥＰＲＯＭ３４とはバスを介してＣＰＵ３１に接続されている。ＥＥＰＲＯＭ３４に記憶された製造番号は、それぞれのマスタペーパ３に固有の番号であり、他のマスタペーパ３から一意に識別できるマスタペーパ３の「識別情報」である。この製造番号を記憶するＥＥＰＲＯＭ３４が「識別情報記憶手段」に該当する。
【００７５】
また、表示用データを閲覧可能に表示するための表示部３６と、表示用データ又は表示用データの所在情報を記憶するメモリカード３８を読み込むためのメモリカードインタフェイス（Ｉ／Ｆ）３７と、通信用リング２３に接続してスレーブペーパ４との間でデータ通信を行うための通信回路を備えた内部通信部３５と、時間を計測するための計時装置５１と、当該表示装置１の動き（動かされたか）を検出する加速度センサ５０も同様にバスを介してＣＰＵ３１に接続されている。
【００７６】
さらに、マスタペーパ３には、マスタペーパ３及びリング部材２に綴じられているスレーブペーパ４に電源を供給するバッテリー５４、表示装置１を安定して動作させるためのアース５５が設けられている。バッテリー５４は、スレーブペーパ４への電源供給のために、電源供給用リング２１に接続しており、アース５５は、スレーブペーパ４の動作安定のために接地用リング２２に接続している。さらに、位置検出用リング２４へ電流を流すために、バッテリー５４及びアース５５は位置検出用リング２４に接続している。さらに、マスタペーパ３には開閉検出部３９が設けられており、位置検出用リング２４の凸部１４２に接続し、位置検出用リング２４のスイッチ１４８に接続して、位置検出用リング２４の開閉の検出が行われる（図５参照）。
【００７７】
一方、スレーブペーパ４は、スレーブペーパ４の全体を制御するＣＰＵ４１と、プログラム等を記憶したＲＯＭ４２と、データを一時的に記憶するＲＡＭ４３と、スレーブペーパ４の製造番号を記憶したＥＥＰＲＯＭ４４とを備えている。そして、ＲＯＭ４２とＲＡＭ４３とＥＥＰＲＯＭ４４とはバスを介してＣＰＵ４１に接続されている。ＥＥＰＲＯＭ４０４に記憶された製造番号は、それぞれのスレーブペーパ４に固有の番号であり、他のスレーブペーパ４から一意に識別できるスレーブペーパ４の「識別情報」である。また、表示用データを閲覧可能に表示するための表示部４６も、ＣＰＵ４１に接続されている。この製造番号を記憶するＥＥＰＲＯＭ４４が「識別情報記憶手段」に該当する。
【００７８】
そして、通信用リング２３に接続してマスタペーパ３との間でデータ通信を行うための通信回路を備えた内部通信部４５も同様にバスを介してＣＰＵ４０１に接続されている。さらに、位置検出用リング２４の電気抵抗体１４４（図５参照）に接続して、電気抵抗体１４４の電圧を計測する電圧計測部４８が設けられている。そして、スレーブペーパ４がどの位置に配置されているかを検出するために電圧計測部４８に接続し、計測された電圧をＡ／Ｄ変換する位置検出部４７もＣＰＵ４１にバスを介して接続されている。なお、電圧計測部４８が「電圧値計測手段」に相当し、位置検出部４７が本発明の「位置検出手段」に相当する。
【００７９】
次に、図７を参照して、マスタペーパ３のＲＡＭ３３について説明する。図７に示すように、ＲＡＭ３３には、現在表示装置１に綴じられている電子ペーパ５の数を記憶する接続ペーパ数記憶エリア３３０、どのペーパに何を表示させるのか及び電子ペーパ５の順序を示すページ順序テーブル（図９参照）を記憶する第一ページ順序テーブル記憶エリア３３１，第二ページ順序テーブル記憶エリア３３２，第三ページ順序テーブル記憶エリア３３３、経過時間を計測する際の計測開始時刻を記憶する計測開始時刻記憶エリア３３４，加速度センサ５０から取得した値を記憶する第一加速度センサ値記憶エリア３３５，第二加速度センサ値記憶エリア３３６、めくられた電子ペーパ５の数（以下、「めくり数Ｐ」という）を記憶するめくり数記憶エリア３３７、表示部３６に表示するコンテンツの各ページの画像を記憶する表示コンテンツ記憶エリア３３８，表示部３６に表示する画像を展開する表示画像展開領域３３９等が設けられている。尚、ＲＡＭ３３には、図示外のその他の記憶エリアも設けられている。
【００８０】
次に、図８を参照して、スレーブペーパ４のＲＡＭ４３について説明する。図９に示すように、ＲＡＭ４３には、位置検出部４７の検出結果である位置情報を記憶する接続位置記憶エリア４３１，綴じられている電子ペーパの中で当該スレーブペーパ４が何番目かを示すペーパ位置を記憶するペーパ位置記憶エリア４３２，表示部４６に表示する表示用データを格納するためのページデータ展開領域４３３，図示外のその他の記憶エリアが設けられている。
【００８１】
次に、図９を参照して第一ページ順序テーブル記憶エリア３３１に記憶された第一ページ順序テーブルについて説明する。ページ順序テーブルは、綴じられている電子ペーパの順序を示すペーパ位置３３１１，各電子ペーパの識別番号を示すペーパＩＤ３３１２，表示されている情報の内容を示す表示時中文書内容３３１３，その電子ペーパ５の位置情報を０〜２５５の値で示す環内位置３３１４の項目のデータが各電子ペーパ５について格納されている。ページめくり（電子ペーパの位置の変更）がなされたときにこのページ順序テーブルを更新することで、適切な表示用データを各電子ペーパ５の表示部３６，４６に表示させることができる。なお、第二ページ順序テーブル記憶エリア３３２は、第一ページ順序テーブル記憶エリア３３１と同様の構成であり、第三ページ順序テーブル記憶エリア３３３は、表示中文書内容３３１３がないだけで第一ページ順序テーブル記憶エリア３３１と同様の構造である。
【００８２】
図９に示す例では、環内位置「１２７」にペーパＩＤ「Ｍ０１」のマスタペーパ３が存在し、ペーパ位置「１」番目とされ、コンテンツの１ページ目の画像が表示される。そして、環内位置「１２８」にペーパＩＤ「Ｓ０２」のスレーブペーパ４が存在し、ペーパ位置「２」番目とされ、コンテンツの２ページ目の画像が表示され、環内位置「１２９」にペーパＩＤ「Ｓ０３」のスレーブペーパ４が存在し、ペーパ位置「３」番目とされ、コンテンツの３ページ目の画像が表示され、環内位置「１３０」にペーパＩＤ「Ｓ０４」のスレーブペーパ４が存在し、ペーパ位置「４」番目とされ、コンテンツの４ページ目の画像が表示される。そして、環内位置「１３１」にペーパＩＤ「Ｓ０５」のスレーブペーパ４が存在し、ペーパ位置「５」番目とされ、コンテンツの５ページ目の画像が表示され、環内位置「１３２」にペーパＩＤ「Ｓ０６」のスレーブペーパ４が存在し、ペーパ位置「６」番目とされ、コンテンツの６ページ目の画像が表示され、環内位置「１３３」にペーパＩＤ「Ｓ０７」のスレーブペーパ４が存在し、ペーパ位置「７」番目とされ、コンテンツの７ページ目の画像が表示され、環内位置「１３４」にペーパＩＤ「Ｓ０８」のスレーブペーパ４が存在し、ペーパ位置「１１」番目とされ、コンテンツの１１ページ目の画像が表示される。そして、環内位置「１３５」にペーパＩＤ「Ｓ０９」のスレーブペーパ４が存在し、ペーパ位置「１２」番目とされ、コンテンツの１２ページ目の画像が表示され、環内位置「１３６」にペーパＩＤ「Ｓ１０」のスレーブペーパ４が存在し、ペーパ位置「１３」番目とされ、コンテンツの１３ページ目の画像が表示される。
【００８３】
続いて、第一の実施の形態〜第五の実施の形態について説明する。まず、図１０乃至図１４を参照して、第一の実施の形態について説明する。第一の実施の形態では、表示装置１に綴じられている電子ペーパ５の最後の３枚に、１番目のコンテンツに表示されているコンテンツのページ（「Ａページ」とする）に、前から順に「１０」、「１１」、「１２」を加算したページを表示する。つまり、表示装置１において、Ａページが「１」であれば、電子ペーパ５にはコンテンツのページが「１，２，３，・・・，７，１１，１２，１３」の順で表示される。ここでは、表示装置１には１０枚の電子ペーパ５が綴じられており、１０個の表示部３６，４６がある場合を例に説明する。
【００８４】
図１０は、第一の実施の形態において最初に電子ペーパ５の表示部３６，４６に表示されるコンテンツのページの状態を示した模式図であり、図１１は、第一の実施の形態においてページをめくった際に電子ペーパの表示部３６，４６に表示されるコンテンツのページの状態を示した模式図である。そして、図１２は、マスタペーパ３のＣＰＵ３１で行われるメイン処理のフローチャートであり、図１３は、メイン処理で行われるめくり数検知処理のフローチャートであり、図１４は、メイン処理で行われるページ内容変換処理のフローチャートである。
【００８５】
図１０を参照して、表示装置１の表示状態を、「ペーパ位置」、「ペーパＩＤ」、「表次頁（初期）」、「表次頁（一般）」の項目で説明する。「ペーパ位置」は、表示装置１における表示部３６，４６の順序、つまり電子ペーパ５の順序を示す値である。これらの値は、第一ページ順序テーブル記憶エリア３３１のペーパ位置３３１１に記憶されている値である。なお、表示装置１に綴じられている電子ペーパ５の枚数（つまり、表示部３６，４６の数）を「ｎ」とする。図１０に示す例では、「ｎ＝１０」である。「ペーパ位置」において（）内に示すのは、最大表示部数を用いてページ位置を示したものである。そして、「ペーパＩＤ」は電子ペーパ５の識別情報であり、第一ページ順序テーブル記憶エリア３３１のペーパＩＤ３３１２に記憶されている値である。そして、「表示頁（初期）」は、コンテンツが最初に表示される際に各電子ペーパ５の表示部３６，４６に表示されるコンテンツのページ（以下「コンテンツページ」という）であり、第一ページ順序テーブル記憶エリア３３１の表示中文書内容３３１３に記憶されているコンテンツページ数である。そして、「表示頁（一般）」は、各電子ペーパ５の表示部３６，４６に表示されるコンテンツページを、１番目の表示部３６，４６に表示されるコンテンツページを「Ａページ」として一般的に示したものである。
【００８６】
図１０に示すように、第一の実施の形態では、ペーパ位置「１」番目〜「７」番目においては、ページの順にコンテンツページが表示される。つまり、初期状態では、ペーパ位置「１」番目〜「７」番目にはコンテンツページの「１」ページ目〜「７」ページ目が順に表示される。一般的には「Ａ」ページ目，「Ａ＋１」ページ目，「Ａ＋２」ページ目，
「Ａ＋３」ページ目，「Ａ＋４」ページ目，「Ａ＋５」ページ目，「Ａ＋６」ページ目が表示される。そして、ペーパ位置「８」番目〜「１０」番目、つまり、最後から３つ分の表示部３６，４６には、初期状態ではコンテンツページの「１１」ページ目，「１２」ページ目，「１３」ページ目が表示される。一般的には、「Ａ＋１０」ページ目，「Ａ＋１１」ページ目，「Ａ＋１２」ページ目が表示される。
【００８７】
また、図１１に示すように、第一の実施の形態では、電子ペーパ５がめくられても（ページめくりされても）、電子ペーパ５の表示部３６，４６に表示されるコンテンツページには図１０の「表示頁（一般）」に示したような関係が保たれる。
【００８８】
よって、「１」番目〜「７」番目、「８」番目〜「１０」番目の表示部３６，４６では、各表示部間のコンテンツページの差は「１」であるが、１番目の表示部３６，４６に表示されているコンテンツページと８番目の表示部３６，４６とに表示されているコンテンツページとの差は「１０」となっている。ここでは、請求項にいう「ｘ」は「７＞２」であり、「ｘ＋１」が「８」、「離頁数Ｘ」は「１０」である。よって、「ｘ＋１」番目には、１番目のコンテンツページよりも４ページ以上後ろの画像が表示されている。
【００８９】
次に、図１２乃至図１４のフローチャートを参照して、マスタペーパ３のＣＰＵ３１で行われるメイン処理について説明する。図１２に示すメイン処理は、表示装置１の電源を投入する、又は、スリープ状態の表示装置１をユーザが持ち上げるなどして表示装置１が動かされると開始される。なお、表示装置１は、スリープ状態である際には加速度センサ５０の値を０．５秒ごとに取得して監視している。ＲＡＭ３３には、前回測定値及び今回測定値を記憶する記憶エリアが設けられており、計測ごとに今回測定値が前回測定値に記憶され、今回測定された計測値が今回計測値に記憶される。そして、たとえば、測定値から換算した加速度の差がたとえば５Ｇ以上である場合に移動されたと判断されるものとする。ここで、５Ｇとするのは、ユーザが表示装置１を鞄などに入れており、微妙に加速度が変化している場合と、ユーザが表示装置１を閲覧開始の目的で手で持ち上げ、加速度の値が大きく変化する場合とを区別するためである。
【００９０】
メイン処理が開始されると、まず、表示装置１に綴じられている電子ペーパ５の枚数ｎが検出され、接続ペーパ数記憶エリア３３０に記憶され（Ｓ１）、第一ページ順序テーブルが作成されて、第一ページ順序テーブル記憶エリア３３１に記憶される（Ｓ２）。具体的には、位置検出用リング２４を用いて０〜２５５の環内位置３３１４に問い合わせ処理が行われる。スレーブペーパ４が存在する位置からは製造番号が応答されるので、環内位置と製造番号とが対応されて第一ページ順序テーブルに記憶される。そして、全ての環内位置への問い合わせが終了したら、第一ページ順序テーブルの環内位置３３１４に値が記憶されたレコードの数が「接続ペーパ数ｎ」として接続ペーパ数記憶エリア３３０に記憶される。そして、第一ページ順序テーブルが環内位置３３１４の値でソートされ、環内位置３３１４の値の小さい順に「ページ位置」が「１」から順に割り当てられる。
【００９１】
次いで、表示装置１に綴じられている電子ペーパ５の表示部３６，４６に初期状態の画像が表示される（Ｓ３）。具体的には、第一ページ順序テーブル記憶エリア３３１のペーパ位置３３１１が「１」のレコードの表示文書内容に「１」が記憶される。そして、ペーパ位置３３１１が「２」〜「１０」の表示部３６，４６には、「Ａ＝１」として、図１０の模式図の「表示頁（一般）」に示した式で算出される値が記憶される。そして、第一ページ順序テーブル記憶エリア３３１に記憶されている情報に基づいて、電子ペーパ５の表示部３６，４６への表示処理が行われる。自身（マスタペーパ３）の表示部３６には、ペーパ番号の最初の１文字が「Ｍ」であるレコードの表示中文書内容３３１３に記憶されているページの画像がＲＡＭ３３の表示コンテンツ記憶エリア３３８から読み出される。そして、読み出された画像が表示画像展開領域３３９に記憶され、表示部３６に表示される。そして、スレーブペーパ４に対しては、ペーパ番号の最初が１文字が「Ｓ」であるレコードの環内位置に対して、表示中文書内容３３１３に記憶されているページの画像が表示コンテンツ記憶エリア３３８から読み出されて、画像を表示させるコマンドと共に送信される。
【００９２】
そして、めくり数検知処理が行われる（Ｓ４、図１３参照）。これは、電子ペーパ５がめくられている場合にはそのめくり数Ｐを検知する処理であり、めくられていない場合には「めくり数Ｐ＝０」とされる。このめくり数検知処理については、図１３のフローチャートを参照して、後述する。めくり数Ｐが検知されたら、ページ内容変換処理が行われる（Ｓ５、図１４参照）。これは、ページめくりに応じて表示部３６，４６の表示内容を更新する処理であり、本発明の要部である。このページ内容変換処理については、図１４のフローチャートを参照して後述する。
【００９３】
そして、タイマカウントが開始される（Ｓ６）。これは、表示装置１がユーザに保持されているか、つまり、ユーザが表示装置１の閲覧を止めて、置いてしまっていないかを検出するためのタイマであり、計時装置５１から現在の時刻が取得され、ＲＡＭ３３の計測開始時刻記憶エリア３３４に記憶される。そこで、加速度センサ５０の値が取得され、ＲＡＭ３３の第一加速度センサ値記憶エリア３３５に記憶される（Ｓ７）。次いで、０．１秒間待機される（Ｓ８）。そして、加速度センサ５０の値が取得され、ＲＡＭ３３の第二加速度センサ値記憶エリア３３６に記憶される（Ｓ９）。そして、第一加速度センサ値と第二加速度センサ値とが比較され、表示装置１が動かされているか否かの判断が行われる（Ｓ１０）。ここでは、第一加速度センサ値と第二加速度センサ値との差が所定の値（たとえば、測定値から換算した加速度の差がたとえば５Ｇ以上となる値）以上であるか否かを判断し、所定の値以上である場合には動かされていると判断され（Ｓ１０：ＹＥＳ）、所定の値よりも小さい場合には動かされていないと判断される（Ｓ１０：ＮＯ）。
【００９４】
そして、動かされていると判断された場合には（Ｓ１０：ＹＥＳ）、再度、表示装置１に綴じられている電子ペーパ５の枚数ｎが検出され、接続ペーパ数記憶エリア３３０に記憶され（Ｓ１１）、第一ページ順序テーブルが作成されて、第一ページ順序テーブル記憶エリア３３１に記憶される（Ｓ１２）。そして、Ｓ４へ戻り、めくり数検知処理が行われる（Ｓ４）。
【００９５】
一方、動かされていないと判断された場合には（Ｓ１０：ＮＯ）、継続して動かされていないのかどうかを判断するために、タイマが１０分経過したか否かの判断が行われる（Ｓ１３）。計測開始時刻記憶エリア３３４に記憶されている時刻と計時装置５１から取得される現在の時刻とが比較され、差が１０分を経過していなければ（Ｓ１３：ＮＯ）、表示装置１は動いてはいないが、まだ継続して動かされていない状態（置かれている状態）とは判断されずにＳ７へ戻り、引き続き表示装置１の移動の監視が行われる。Ｓ７〜Ｓ１３の処理が繰り返し実施され、タイマが１０分を経過したら（Ｓ１３：ＹＥＳ）、継続して表示装置１が動かされず、置かれていると判断されて、電源をスリープ状態に切り替え（Ｓ１４）、メイン処理は終了する。
【００９６】
このようにして、表示装置１はユーザに持たれている間は常にページめくり検知し（Ｓ４）、それに応じて表示部３６，３４の表示内容を更新している（Ｓ５）。
【００９７】
ここで、図１３のフローチャートを参照して、めくり数検知処理について説明する。ここでは、電子ペーパ５のめくり数Ｐが算出され、めくり数記憶エリア３３７に記憶される処理が行われる。
【００９８】
まず、１秒間待機した後に（Ｓ２１）、第二ページ順序テーブルが作成される（Ｓ２２）。具体的には、位置検出用リング２４を用いて０〜２５５の環内位置に問い合わせ処理が行われる。スレーブペーパ４が存在する位置からは製造番号が応答されるので、環内位置と製造番号とを対応して第二ページ順序テーブルとして第二ページ順序テーブル記憶エリア３３２に記憶される。そして、すべての環内位置への問い合わせが終了したら、第二ページ順序テーブルに環内位置が記憶されたレコード数が「接続ペーパ数ｎ」として接続ペーパ数記憶エリア３３０に記憶される。そして、第二ページ順序テーブルは、環内位置の値でソートされ、環内位置の値の小さい順に「ページ位置」が「１」から順に割り当てられる。そして、各レコードの「表示中文書内容」が記憶される。ここでは、各レコードの「ペーパＩＤ」が読み出され、第一ページ順序テーブル記憶エリア３３１からそのＩＤのレコードの表示中文書内容３３１３に記憶されている表示内容が読み出されて、第二ページ順序テーブル記憶エリア３３２の「表示中文書内容」に記憶される。
【００９９】
そして、第一ページ順序テーブルと第二ページ順序テーブルとが異なるか否か比較される（Ｓ２３）。ここで、第一ページ順序テーブルと第二ページ順序テーブルとの内容が同じ場合には（Ｓ２３：ＮＯ）、電子ペーパ５はめくられていないので、めくり数記憶エリア３３７に「０」が記憶され（Ｓ２９）、めくり数検知処理は終了され、メイン処理へ戻る。
【０１００】
一方、第一ページ順序テーブルと第二ページ順序テーブルとの内容が異なる場合には（Ｓ２３：ＹＥＳ）、電子ペーパ５がめくられている可能性がある。電子ペーパ５がめくられている場合であっても、パラパラと電子ペーパ５がめくられているだけである場合と、１つの電子ペーパ５がしっかりと開かれている場合とがある。後者である場合には、電子ペーパ５の表示部３６，４６への表示を更新する必要があるが、前者である場合には、表示を更新する必要はない。そこで、前者であるか後者であるかを判断するために、１秒間待機した後に（Ｓ２４）、第三ページ順序テーブルが作成される（Ｓ２５）。具体的には、第一ページ順序テーブルや第二ページ順序テーブルと同様に、位置検出用リング２４を用いて０〜２５５の環内位置に問い合わせ処理が行われる。そして、スレーブペーパ４が存在する位置からは製造番号が応答されるので、環内位置と製造番号とを対応して第三ページ順序テーブルとして第三ページ順序テーブル記憶エリア３３３に記憶される（Ｓ２７）。そして、すべての環内位置への問い合わせが終了したら、第三ページ順序テーブルに環内位置が記憶されたレコード数が「接続ペーパ数ｎ」として接続ペーパ数記憶エリア３３０に記憶される。そして、第三ページ順序テーブルは、環内位置の値でソートされ、環内位置の値の小さい順に「ページ位置」が「１」から順に割り当てられる。
【０１０１】
そして、第三ページ順序テーブルが作成されたら（Ｓ２５）、第二ページ順序テーブルと第三ページ順序テーブルとが同じ内容であるか否か比較される（Ｓ２６）。ここで、第二ページ順序テーブルと第三ページ順序テーブルとの内容が同じで、２つのテーブルが変化していない場合には（Ｓ２６：ＹＥＳ）、１秒間電子ペーパ５の順序に変化がなく、１つの電子ペーパ５がしっかりと開かれていることになるので、第一ページ順序テーブルで「ペーパ位置」が「１」であった電子ペーパ５が、第三ページ順序テーブルにおいてどの「ペーパ位置」となっているかにより、めくり数Ｐが算出され、めくり数記憶エリア３３７に記憶される。具体的には、第一ページ順序テーブルで「ペーパ位置」が「１」であった電子ペーパ５の「ペーパＩＤ」が、第三ページ順序テーブルで探索され、探索されたレコードの「ペーパ位置」が読み出される。そして、接続ペーパ数ｎから読み出されたペーパ位置を引いた値に「１」が加算された値がめくり数Ｐとされる。たとえば、接続ペーパ数ｎ＝１０であり、読み出されたペーパ位置＝４であった場合には、「めくり数Ｐ＝１０−４＋１＝７」である。そして、めくり数検知処理は終了され、メイン処理へ戻る。
【０１０２】
一方、第二ページ順序テーブルと第三ページ順序テーブルとの内容が異なり、２つのテーブルが変化している場合には（Ｓ２６：ＮＯ）、パラパラとめくられているということである。そこで、Ｓ２１へ戻り、１秒間待機した後に（Ｓ２１）、第二ページ順序テーブルが作成される（Ｓ２２）。そして、第一ページ順序テーブルと第二ページ順序テーブルとが異なるか否か比較され（Ｓ２３）、異なる場合には（Ｓ２３：ＹＥＳ）、再び１秒間待機した後に（Ｓ２４）、第三ページ順序テーブルが作成され（Ｓ２５）、第二ページ順序テーブルと第三ページ順序テーブルとが比較される（Ｓ２６）。そして、２つのテーブルが同じ内容となり１つの電子ペーパ５がしっかりと開かれるまでＳ２１〜Ｓ２６の処理が繰り返し実施され、２つのテーブルが同じ内容となり、１つの電子ペーパ５がしっかりと開かれたら（Ｓ２６：ＹＥＳ）、めくり数Ｐが算出され（Ｓ２７）、めくり数検知処理は終了され、メイン処理へ戻る。
【０１０３】
なお、パラパラと電子ペーパ５がめくられる中、Ｓ２１〜Ｓ２６の処理が繰り返し実施される間に、Ｓ２３において第一ページ順序テーブルと第二ページ順序テーブルとの内容が一致した場合には（Ｓ２３：ＮＯ）、「めくり数Ｐ＝０」とされるが（Ｓ２９）、メイン処理のページ内容変換処理において表示の更新は行われず（図１４参照、Ｓ４１：ＹＥＳ、処理の終了）、表示装置１は動いているので（図１２、Ｓ１０：ＹＥＳ）、新たな第一ページ順序テーブルが作成されて（Ｓ１２）、再び、めくり数検知処理が行われる（Ｓ４）。
【０１０４】
次に、図１４のフローチャートを参照して、第一の実施の形態におけるページ内容変換処理について説明する。ここでは、本発明の要部である電子ペーパ５の表示部３６，４６の表示の更新が行われる。
【０１０５】
まず、めくり数記憶エリア３３７に記憶されているめくり数Ｐが「０」であるか否かの判断が行われる（Ｓ４１）。めくり数Ｐが「０」であれば（Ｓ４１：ＹＥＳ）、電子ペーパ５はめくられていないので、表示を更新する必要はなく、ページ内容変換処理は終了し、メイン処理へ戻る。
【０１０６】
めくり数Ｐが「０」でなければ（Ｓ４１：ＮＯ）、めくり数Ｐが「１」であるか否かの判断が行われる（Ｓ４２）。めくり数Ｐが「１」である場合には（Ｓ４２：ＹＥＳ）、第二ページ順序テーブルのペーパ位置「ｎ−３」に、ペーパ位置「ｎ−４」に表示されているコンテンツページの続きのページが表示される（Ｓ５２）。なお、「ｎ」は接続ペーパ数記憶エリア３３０に記憶されている接続ペーパ数である。たとえば、図１１に示した例では、接続ペーパ数ｎ＝１０である。よって、この状態から１枚の電子ペーパ５がめくられた場合には、ペーパ位置が「めくり１」である行に示すように、「ｎ−４＝１０−４＝６」番目にはペーパＩＤ「Ｓ０７」の電子ペーパ５があり、初期状態では「Ｓ０７」の電子ペーパ５の表示部３６，４６にはコンテンツページ「７」の画像が表示されている。よって、ペーパ位置「ｎ−３＝１０−３＝７」番目の表示部３６，４６には、コンテンツページ「７」の続きである「８」ページ目の画像が表示される。そこで、第二ページ順序テーブル記憶エリア３３２のペーパ位置「７」の表示中文書内容に「８」が記憶される。
【０１０７】
次いで、Ｓ６４へ進み、第二ページ順序テーブルのペーパ位置「ｎ」にペーパ位置「１」の表示部３６，４６に表示されているコンテンツページの１２ページ後の画像が表示される（Ｓ６４）。図１１に示す例では、１番目のコンテンツページが「２」であるので、ページ位置「ｎ＝１０」番目の表示部３６，４６に、「２＋１２＝１４」の画像が表示される。そこで、第二ページ順序テーブル記憶エリア３３２のペーパ位置「１０」の表示中文書内容には「１４」が記憶される。そして、ページ内容変換処理は終了され、メイン処理へ戻る。なお、めくり数Ｐが「１」である場合には、図１１に示すように、ペーパ位置「１〜ｎ−４」、「ｎ−２」、「ｎ−１」は、電子ペーパ５がめくられる前（初期状態）と表示されるコンテンツページに変更はないので、表示の更新は行われない。
【０１０８】
また、めくり数Ｐが「１」でもなく（Ｓ４２：ＮＯ）、めくり数Ｐが「２」である場合には（Ｓ４３：ＹＥＳ）、第二ページ順序テーブルのペーパ位置「ｎ−４」，「ｎ−３」に、ペーパ位置「ｎ−５」に表示されているコンテンツページの続きのページが表示される（Ｓ５３）。たとえば、図１１に示した例では、ペーパ位置が「めくり２」である行に示すように、「ｎ−５＝１０−５＝５」番目にはペーパＩＤ「Ｓ０７」の電子ペーパ５があり、初期状態では「Ｓ０７」の電子ペーパ５の表示部３６，４６にはコンテンツページ「７」の画像が表示されている。よって、ペーパ位置「ｎ−４＝１０−４＝６」番目、「ｎ−３＝１０−３＝７」番目の表示部３６，４６、には、コンテンツページ「７」の続きである「８」ページ、「９」ページが表示される。そこで、第二ページ順序テーブル記憶エリア３３２のペーパ位置「６」、「７」の表示中文書内容に「８」、「９」が記憶される。
【０１０９】
次いで、Ｓ６３へ進み、第二ページ順序テーブルのペーパ位置「ｎ−１」にペーパ位置「１」の表示部３６，４６に表示されているコンテンツページの１１ページ後の画像が表示される（Ｓ６３）。図１１に示す例では、１番目のコンテンツページが「３」であるので、ページ位置「ｎ−１＝１０−１＝９」番目の表示部３６，４６に、「３＋１１＝１４」の画像が表示される。そこで、第二ページ順序テーブル記憶エリア３３２のペーパ位置「９」の表示中文書内容には「１４」が記憶される。
【０１１０】
そして、Ｓ６４へ進み、第二ページ順序テーブルのペーパ位置「ｎ」にペーパ位置「１」の表示部３６，４６に表示されているコンテンツページの１２ページ後の画像が表示される（Ｓ６４）。図１１に示す例では、１番目のコンテンツページが「３」であるので、ページ位置「ｎ＝１０」番目の表示部３６，４６に、「３＋１２＝１５」の画像が表示される。そこで、第二ページ順序テーブル記憶エリア３３２のペーパ位置「１０」の表示中文書内容には「１４」が記憶される。そして、ページ内容変換処理は終了され、メイン処理へ戻る。なお、めくり数Ｐが「１」である場合には、図１１に示すように、ペーパ位置「１〜ｎ−５」、「ｎ−２」は、初期状態から表示されるコンテンツページに変更はないので、表示の更新は行われない。
【０１１１】
また、めくり数Ｐが「２」でもなく（Ｓ４３：ＮＯ）、めくり数Ｐが「ｎ−３＝１０−３＝７」である場合には（Ｓ４５：ＹＥＳ）、第二ページ順序テーブルのペーパ位置「４」〜「ｎ−３」に、ペーパ位置「３」に表示されているコンテンツページの続きのページが表示される（Ｓ５５）。たとえば、図１１に示した例では、ペーパ位置が「めくり７」である行に示すように、「３」番目には、ペーパＩＤ「Ｓ１０」の電子ペーパ５があり、初期状態では「Ｓ１０」の電子ペーパ５の表示部３６，４６にはコンテンツページ「１３」の画像が表示されている。よって、ペーパ位置「４」〜「ｎ−３＝１０−３＝７」番目の表示部３６，４６には、図１１に示すように、コンテンツページ「１４」〜「１７」の画像が表示される。そこで、第二ページ順序テーブル記憶エリア３３２のペーパ位置「４」〜「７」の表示中文書内容に「１４」〜「１７」がそれぞれ記憶される。
【０１１２】
次いで、Ｓ６２へ進み、第二ページ順序テーブルのペーパ位置「ｎ−２」にペーパ位置「１」の表示部３６，４６に表示されているコンテンツページの１０ページ後の画像が表示される（Ｓ６２）。図１１に示す例では、１番目のコンテンツページが「１１」であるので、ページ位置「ｎ−２＝１０−２＝８」番目の表示部３６，４６に、「１１＋１０＝２１」の画像が表示される。そこで、第二ページ順序テーブル記憶エリア３３２のペーパ位置「８」の表示中文書内容には「２１」が記憶される。
【０１１３】
次いで、Ｓ６３へ進み、第二ページ順序テーブルのペーパ位置「ｎ−１」にペーパ位置「１」の表示部３６，４６に表示されているコンテンツページの１１ページ後の画像が表示される（Ｓ６３）。図１１に示す例では、１番目のコンテンツページが「１１」であるので、ページ位置「ｎ−１＝１０−１＝９」番目の表示部３６，４６に、「１１＋１１＝２２」の画像が表示される。そこで、第二ページ順序テーブル記憶エリア３３２のペーパ位置「９」の表示中文書内容には「２２」が記憶される。
【０１１４】
そして、Ｓ６４へ進み、第二ページ順序テーブルのペーパ位置「ｎ」にペーパ位置「１」の表示部３６，４６に表示されているコンテンツページの１２ページ後の画像が表示される（Ｓ６４）。図１１に示す例では、１番目のコンテンツページが「１１」であるので、ページ位置「ｎ＝１０」番目の表示部３６，４６に、「１１＋１２＝２３」の画像が表示される。そこで、第二ページ順序テーブル記憶エリア３３２のペーパ位置「１０」の表示中文書内容には「２３」が記憶される。そして、ページ内容変換処理は終了され、メイン処理へ戻る。
【０１１５】
また、めくり数Ｐが「ｎ−３」でもなく（Ｓ４５：ＮＯ）、めくり数Ｐが「ｎ−２＝１０−２＝８」である場合には（Ｓ４６：ＹＥＳ）、第二ページ順序テーブルのペーパ位置「３」〜「ｎ−３」に、ペーパ位置「２」に表示されているコンテンツページの続きが表示される（Ｓ５６）。たとえば、図１１に示した例では、ペーパ位置が「めくり８」である行に示すように、「２」番目には、ペーパＩＤ「Ｓ１０」の電子ペーパ５があり、初期状態では「Ｓ１０」の電子ペーパ５の表示部３６，４６にはコンテンツページ「１３」の画像が表示されている。よって、ペーパ位置「３」〜「ｎ−３＝１０−３＝７」番目の表示部３６，４６には、図１１に示すように、コンテンツページ「１４」〜「１８」の画像が表示される。そこで、第二ページ順序テーブル記憶エリア３３２のペーパ位置「３」〜「７」の表示中文書内容に「１４」〜「１８」がそれぞれ記憶される。
【０１１６】
次いで、Ｓ６２へ進み、第二ページ順序テーブルのペーパ位置「ｎ−２」にペーパ位置「１」の表示部３６，４６に表示されているコンテンツページの１０ページ後の画像が表示される（Ｓ６２）。図１１に示す例では、１番目のコンテンツページ「１２」であるので、ページ位置「ｎ−２＝１０−２＝８」番目の表示部３６，４６に、「１２＋１０＝２２」の画像が表示される。そこで、第二ページ順序テーブル記憶エリア３３２のペーパ位置「８」の表示中文書内容には「２２」が記憶される。
【０１１７】
次いで、Ｓ６３へ進み、第二ページ順序テーブルのペーパ位置「ｎ−１」にペーパ位置「１」の表示部３６，４６に表示されているコンテンツページの１１ページ後の画像が表示される（Ｓ６３）。図１１に示す例では、１番目のコンテンツページ「１２」であるので、ページ位置「ｎ−１＝１０−１＝９」番目の表示部３６，４６に、「１２＋１１＝２３」の画像が表示される。そこで、第二ページ順序テーブル記憶エリア３３２のペーパ位置「９」の表示中文書内容には「２３」が記憶される。
【０１１８】
そして、Ｓ６４へ進み、第二ページ順序テーブルのペーパ位置「ｎ」にペーパ位置「１」の表示部３６，４６に表示されているコンテンツページの１２ページ後の画像が表示される（Ｓ６４）。図１１に示す例では、１番目のコンテンツページ「１２」であるので、ページ位置「ｎ＝１０」番目の表示部３６，４６に、「１２＋１２＝２４」の画像が表示される。そこで、第二ページ順序テーブル記憶エリア３３２のペーパ位置「１０」の表示中文書内容には「２４」が記憶される。そして、ページ内容変換処理は終了され、メイン処理へ戻る。
【０１１９】
また、めくり数Ｐが「ｎ−２」でもなく（Ｓ４６：ＮＯ）、めくり数Ｐが「ｎ−１＝１０−１＝９」である場合には（Ｓ４７：ＹＥＳ）、第二ページ順序テーブルのペーパ位置「２」〜「ｎ−３」に、ペーパ位置「１」に表示されているコンテンツページの続きが表示される（Ｓ５７）。たとえば、図１１に示した例では、ペーパ位置が「めくり９」である行に示すように、「１」番目には、ペーパＩＤ「Ｓ１０」の電子ペーパ５があり、初期状態では「Ｓ１０」の電子ペーパ５の表示部３６，４６にはコンテンツページ「１３」の画像が表示されている。よって、ペーパ位置「２」〜「ｎ−３＝１０−３＝７」番目の表示部３６，４６には、図１１に示すように、コンテンツページ「１４」〜「１９」の画像が表示される。そこで、第二ページ順序テーブル記憶エリア３３２のペーパ位置「２」〜「７」の表示中文書内容に「１４」〜「１９」がそれぞれ記憶される。
【０１２０】
次いで、Ｓ６２へ進み、第二ページ順序テーブルのペーパ位置「ｎ−２」にペーパ位置「１」の表示部３６，４６に表示されているコンテンツページの１０ページ後の画像が表示される（Ｓ６２）。図１１に示す例では、１番目のコンテンツページが「１３」であるので、ページ位置「ｎ−２＝１０−２＝８」番目の表示部３６，４６に、「１３＋１０＝２３」の画像が表示される。そこで、第二ページ順序テーブル記憶エリア３３２のペーパ位置「８」の表示中文書内容には「２３」が記憶される。
【０１２１】
次いで、Ｓ６３へ進み、第二ページ順序テーブルのペーパ位置「ｎ−１」にペーパ位置「１」の表示部３６，４６に表示されているコンテンツページの１１ページ後の画像が表示される（Ｓ６３）。図１１に示す例では、１番目のコンテンツページが「１３」であるので、ページ位置「ｎ−１＝１０−１＝９」番目の表示部３６，４６に、「１３＋１１＝２４」の画像が表示される。そこで、第二ページ順序テーブル記憶エリア３３２のペーパ位置「９」の表示中文書内容には「２４」が記憶される。
【０１２２】
そして、Ｓ６４へ進み、第二ページ順序テーブルのペーパ位置「ｎ」にペーパ位置「１」の表示部３６，４６に表示されているコンテンツページの１２ページ後の画像が表示される（Ｓ６４）。図１１に示す例では、１番目のコンテンツページが「１３」であるので、ページ位置「ｎ＝１０」番目の表示部３６，４６に、「１３＋１２＝２５」の画像が表示される。そこで、第二ページ順序テーブル記憶エリア３３２のペーパ位置「１０」の表示中文書内容には「２５」が記憶される。そして、ページ内容変換処理は終了され、メイン処理へ戻る。
【０１２３】
また、めくり数Ｐが「ｎ−１」でもない場合には（Ｓ４７：ＮＯ）、第二ページ順序テーブルのペーパ位置「ｎ−（Ｐ＋２）」〜「ｎ−３」に、ペーパ位置「ｎ−（Ｐ＋３）」に表示されているコンテンツページの続きのページが表示される（Ｓ６１）。たとえば、Ｐ＝４を例に考えると、図１１に示した例では、ペーパ位置が「めくり４」である行に示すように、「ｎ−（Ｐ＋３）＝１０−（４＋３）＝３」番目には、ペーパＩＤ「Ｓ０７」の電子ペーパ５があり、初期状態では「Ｓ０７」の電子ペーパ５の表示部３６，４６にはコンテンツページ「７」の画像が表示されている。よって、ペーパ位置「ｎ−（Ｐ＋２）＝１０−（４＋２）＝４」〜「ｎ−３＝１０−３＝７」番目の表示部３６，４６には、図１１に示すように、コンテンツページ「８」〜「１１」の画像が表示される。そこで、第二ページ順序テーブル記憶エリア３３２のペーパ位置「４」〜「７」の表示中文書内容に「８」〜１１」がそれぞれ記憶される。
【０１２４】
次いで、Ｓ６２へ進み、第二ページ順序テーブルのペーパ位置「ｎ−２」にペーパ位置「１」の表示部３６，４６に表示されているコンテンツページの１０ページ後の画像が表示される（Ｓ６２）。Ｐ＝４を例に考えると、図１１に示す例では、１番目のコンテンツページは「５」であるので、ページ位置「ｎ−２＝１０−２＝８」番目の表示部３６，４６に、「５＋１０＝１５」の画像が表示される。そこで、第二ページ順序テーブル記憶エリア３３２のペーパ位置「８」の表示中文書内容には「１５」が記憶される。
【０１２５】
次いで、Ｓ６３へ進み、第二ページ順序テーブルのペーパ位置「ｎ−１」にペーパ位置「１」の表示部３６，４６に表示されているコンテンツページの１１ページ後の画像が表示される（Ｓ６３）。図１１に示す例では、１番目のコンテンツページ「５」であるので、ページ位置「ｎ−１＝１０−１＝９」番目の表示部３６，４６に、「５＋１１＝１６」の画像が表示される。そこで、第二ページ順序テーブル記憶エリア３３２のペーパ位置「９」の表示中文書内容には「１６」が記憶される。
【０１２６】
そして、Ｓ６４へ進み、第二ページ順序テーブルのペーパ位置「ｎ」にペーパ位置「１」の表示部３６，４６に表示されているコンテンツページの１２ページ後の画像が表示される（Ｓ６４）。図１１に示す例では、１番目のコンテンツページ「５」であるので、ページ位置「ｎ＝１０」番目の表示部３６，４６に、「９５＋１２＝１７」の画像が表示される。そこで、第二ページ順序テーブル記憶エリア３３２のペーパ位置「１０」の表示中文書内容には「１７」が記憶される。そして、ページ内容変換処理は終了され、メイン処理へ戻る。
【０１２７】
なお、表示部３６，４６に画像が表示される場合には、まず、表示するコンテンツページの画像が、ＲＡＭ３３の表示コンテンツ記憶エリア３３８から読み出される。そして、表示する表示部３６，４６がマスタペーパ３自身の表示部３６である場合（ペーパＩＤが「Ｍ」で始まる）には、表示画像展開領域３３９に読み出された画像が記憶され、表示部３６に表示される。そして、表示する表示部がスレーブペーパ４の表示部４６である場合（ペーパＩＤが「Ｓ」で始まる）には、そのペーパＩＤのスレーブペーパ４へ読み出された画像が送信される。そして、画像を受信したスレーブペーパ４では、ページデータ展開領域４３３に画像を記憶して、表示部４６に表示する。
【０１２８】
また、続きのコンテンツページを表示する際に、最後のコンテンツページまで表示されて、続きのページが存在しない場合には、１ページ目に戻り、１ページから最大ページまでを循環させる。つまり、表示させるページが最大ページよりも大きくなった場合には、表示させるとされたページ数から最大ページ数を減算した数のページが表示されることとなる。たとえば、最大ページが１００であり、１０８ページを表示させるとされた場合には、１００よりも大きいので、１０８−１００＝８ページが表示される。
【０１２９】
第一の実施の形態では、以上のようにして、ページ内容変換処理が行われることにより、表示部３６，４６には、図１０に示した表示頁（一般）欄に示されている関係を保ってコンテンツページが表示される。第一の実施の形態では、最後の３つの表示部からは最初の表示部に「１０」を加算したコンテンツページが表示される。よって、１００ページといった後ろの方のページを表示させたい時に、表示部３６，４６に１ページから順に１０ページまでページ順に連続して表示されている場合と比べて、少ないめくり動作で閲覧したいコンテンツページの表示された表示部３６，４６を開くことができる。
【０１３０】
なお、第一の実施の形態では、接続ペーパ数ｎが「１０」である場合を説明したが、接続ペーパ数ｎは「１０」に限らないことは言うまでもない。たとえば、接続ペーパ数が「１５」である場合には、ペーパ位置「１」番目〜「１２」番目については、ページ順にコンテンツページを表示し、「１３」番目の表示部３６，４６に、「１」番目の表示部に「１０」を加算したページである「Ａ＋１０」ページを表示するようにしてもよい。この場合には、コンテンツページ「１，２，３，４，５，６，７，８，９，１０，１１，１２，１１，１２，１３」が表示されることとなる。また、上記第一の実施の形態では、ｘ＝７としたが、ｘの値は「７」に限らない。７より大きい数や小さい数であってもよい。接続ペーパ数ｎに基づいて決定してもよい。たとえば、「接続ペーパ数ｎ−接続ペーパ数ｎ×３／１０」の整数部としてもよい。
【０１３１】
また、１番目の表示部３６，４６に表示されているコンテンツページ「Ａ」に加算する値は「１０」に限らず、この値も接続ペーパ数ｎに基づいて決定したり（たとえば、接続ペーパ数ｎと同じ値）、１０，１５，２０，３０，５０等の切りのよい数字を１つ登録したりしてもよい。また、切りのよい数字は複数記憶しておき、複数の数字から１つの数字を選択してもよい。この選択の際には、たとえば、接続ペーパ数ｎより小さい最大の数を選択すればよい。
【０１３２】
次に、図１５乃至図１７を参照して、第二の実施の形態について説明する。第二の実施の形態では、表示装置１に綴じられている電子ペーパ５の最後の電子ペーパ５には、１番目のコンテンツに表示されているコンテンツページ（Ａページ）の１つ前のページを表示し、最後から２番目の電子ペーパ５には、Ａページに「１１」を加算したページを表示し、最後から３番目の電子ペーパ５には、Ａページ「１０」を加算したページを表示する。なお、Ａページが「１」である場合には、最後のページにはコンテンツの最後のページ（「ｍページ」とする）を表示する。つまり、Ａページが「１」であり、ｍページが「５５」である場合には、電子ペーパ５にはコンテンツページが「１，２，３，・・・，７，１１，１２，５５」の順で表示される。ここでも、第一の実施の形態と同様に、表示装置１には１０枚の電子ペーパ５が綴じられており、１０個の表示部３６，４６がある場合を例に説明する。
【０１３３】
図１５は、第二の実施の形態において最初に電子ペーパ５の表示部３６，４６に表示されるコンテンツページの状態を示した模式図であり、図１６は、第二の実施の形態においてページをめくった際に電子ペーパの表示部３６，４６に表示されるコンテンツページの状態を示した模式図である。そして、図１７は、第二の実施の形態における、メイン処理で行われるページ内容変換処理のフローチャートである。
【０１３４】
図１５を参照して、表示装置１の表示状態を、「ペーパ位置」、「ペーパＩＤ」、「表次頁（初期）」、「表次頁（一般）」の項目で説明する。各項目については、第一の実施の形態と同様であるので、説明を援用して省略する。
【０１３５】
図１５に示すように、第二の実施の形態では、ペーパ位置「１」番目〜「７」番目においては、ページの順にコンテンツページが表示される。つまり、初期状態では、ペーパ位置「１」番目〜「７」番目にはコンテンツページの「１」ページ目〜「７」ページ目が順に表示される。一般的には「Ａ」ページ目，「Ａ＋１」ページ目，「Ａ＋２」ページ目，「Ａ＋３」ページ目，「Ａ＋４」ページ目，「Ａ＋５」ページ目，「Ａ＋６」ページ目が表示される。そして、ペーパ位置「８」番目，「９」番目、つまり、最後から２番目及び３番目の表示部３６，４６には、初期状態ではコンテンツページの「１１」ページ目，「１２」ページ目が表示される。一般的には、「Ａ＋１０」ページ目，「Ａ＋１１」ページ目が表示される。そして、ページ位置が「１０」番目、つまり最後の表示部３６，４６においては、初期状態では「５５」ページ目が表示される。一般的には、「Ａ−１」番目のコンテンツページが表示される。なお、初期状態では「Ａ＝１」であるので、コンテンツページの最大ページ数を「ｍ」とすると、コンテンツページを「１，２，３，・・・，ｍ−２，ｍ−１，ｍ，１，２，・・・」と循環していると捉え、「Ａ−１＝ｍ」として、最後のコンテンツページが表示されることとなる。
【０１３６】
また、図１６に示すように、第二の実施の形態では、電子ペーパ５がめくられても（ページめくりされても）、電子ペーパ５の表示部３６，４６に表示されるコンテンツページには図１５の「表示頁（一般）」に示したような関係が保たれる。
【０１３７】
よって、「１」番目〜「７」番目、「８」番目と「９」番目の表示部３６，４６では、各表示部間のコンテンツページの差は「１」であるが、「１」番目の表示部３６，４６に表示されているコンテンツページと「８」番目の表示部３６，４６とに表示されているコンテンツページとの差は「１０」となっている。さらに、「１０」番目の表示部３６，４６に表示されているコンテンツページは、「１」番目の表示部３６，４６に表示されているコンテンツページの１つ前のページである「５５」となっている。ここでは、請求項にいう「ｘ」は「７＞２」であり、「ｘ＋１」が「８」、「離頁数Ｘ」は「１０」である。よって、「ｘ＋１」番目には、１番目のコンテンツページよりも４ページ以上後ろの画像が表示されている。
【０１３８】
ここで、マスタペーパ３のＣＰＵ３１で行われるメイン処理について説明するが、メイン処理及びメイン処理で行われるめくり数検知処理については、Ｓ３における初期状態の表示処理の詳細以外は、第一の実施の形態（図１２，図１３参照）と同様であるので、説明を援用して省略する。なお、Ｓ３の初期状態の表示においては、表示文書内容に記憶されるコンテンツページ数が、図１５模式図の「表示頁（一般）」に示した式に「Ａ＝１」を代入して算出される値とされる。そして、第一の実施の形態とは異なる処理が行われるページ内容変換処理について、図１７に示すフローチャートを参照して説明する。
【０１３９】
まず、めくり数記憶エリア３３７に記憶されているめくり数Ｐが「０」であるか否かの判断が行われる（Ｓ７１）。めくり数Ｐが「０」であれば（Ｓ７１：ＹＥＳ）、電子ペーパ５はめくられていないので、表示を更新する必要はなく、ページ内容変換処理は終了し、メイン処理へ戻る。
【０１４０】
めくり数Ｐが「０」でなければ（Ｓ７１：ＮＯ）、めくり数Ｐが「１」であるか否かの判断が行われる（Ｓ７２）。めくり数Ｐが「１」である場合には（Ｓ７２：ＹＥＳ）、第二ページ順序テーブルのペーパ位置「ｎ−３」に、ペーパ位置「ｎ−４」に表示されているコンテンツページの続きのページが表示される（Ｓ８２）。たとえば、図１６に示した例では、ペーパ位置が「めくり１」である行に示すように、「ｎ−４＝１０−４＝６」番目にはペーパＩＤ「Ｓ０７」の電子ペーパ５があり、初期状態では「Ｓ０７」の電子ペーパ５の表示部３６，４６にはコンテンツページ「７」の画像が表示されている。よって、ペーパ位置「ｎ−３＝１０−３＝７」番目の表示部３６，４６には、コンテンツページ「７」の続きである「８」ページ目の画像が表示される。そこで、第二ページ順序テーブル記憶エリア３３２のペーパ位置「７」の表示中文書内容に「８」が記憶される。
【０１４１】
次いで、Ｓ９１へ進み、第二ページ順序テーブルのペーパ位置「ｎ−１」にペーパ位置「１」の表示部３６，４６に表示されているコンテンツページの１１ページ後の画像が表示される（Ｓ９１）。図１６に示す例では、１番目のコンテンツページが「２」であるので、ページ位置「ｎ−１＝１０−１＝９」番目の表示部３６，４６に、「２＋１１＝１３」の画像が表示される。そこで、第二ページ順序テーブル記憶エリア３３２のペーパ位置「９」の表示中文書内容には「１３」が記憶される。そして、ページ内容変換処理は終了され、メイン処理へ戻る。なお、めくり数Ｐが「１」である場合には、図１６に示すように、ペーパ位置「１〜ｎ−４」、「ｎ−２」、「ｎ」は、初期状態から表示されるコンテンツページに変更はないので、表示の更新は行われない。
【０１４２】
また、めくり数Ｐが「１」でもなく（Ｓ７２：ＮＯ）、めくり数Ｐが「ｎ−３＝１０−３＝７」である場合には（Ｓ７５：ＹＥＳ）、第二ページ順序テーブルのペーパ位置「３」〜「ｎ−３」に、ペーパ位置「２」に表示されているコンテンツページの続きのページが表示される（Ｓ８５）。たとえば、図１６に示した例では、ペーパ位置が「めくり７」である行に示すように、「２」番目には、ペーパＩＤ「Ｓ０９」の電子ペーパ５があり、初期状態では「Ｓ０９」の電子ペーパ５の表示部３６，４６にはコンテンツページ「１２」の画像が表示されている。よって、ペーパ位置「３」〜「ｎ−３＝１０−３＝７」番目の表示部３６，４６には、図１６に示すように、コンテンツページ「１３」〜「１７」の画像が表示される。そこで、第二ページ順序テーブル記憶エリア３３２のペーパ位置「３」〜「７」の表示中文書内容に「１３」〜「１７」がそれぞれ記憶される。
【０１４３】
次いで、Ｓ９２へ進み、第二ページ順序テーブルのペーパ位置「ｎ−２」にペーパ位置「１」の表示部３６，４６に表示されているコンテンツページの１０ページ後の画像が表示される（Ｓ９２）。図１６に示す例では、１番目のコンテンツページ「１１」であるので、ページ位置「ｎ−２＝１０−２＝８」番目の表示部３６，４６に、「１１＋１０＝２１」の画像が表示される。そこで、第二ページ順序テーブル記憶エリア３３２のペーパ位置「８」の表示中文書内容には「２１」が記憶される。
【０１４４】
次いで、Ｓ９３へ進み、第二ページ順序テーブルのペーパ位置「ｎ−１」にペーパ位置「１」の表示部３６，４６に表示されているコンテンツページの１１ページ後の画像が表示される（Ｓ９３）。図１６に示す例では、１番目のコンテンツページ「１１」であるので、ページ位置「ｎ−１＝１０−１＝９」番目の表示部３６，４６に、「１１＋１１＝２２」の画像が表示される。そこで、第二ページ順序テーブル記憶エリア３３２のペーパ位置「９」の表示中文書内容には「２２」が記憶される。
【０１４５】
次いで、Ｓ９４へ進み、第二ページ順序テーブルのペーパ位置「ｎ」にペーパ位置「１」の表示部３６，４６に表示されているコンテンツページの１ページ前の画像が表示される（Ｓ９４）。図１６に示す例では、１番目のコンテンツページ「１１」であるので、ページ位置「ｎ＝１０」番目の表示部３６，４６に、「１１−１＝１０」の画像が表示される。そこで、第二ページ順序テーブル記憶エリア３３２のペーパ位置「１０」の表示中文書内容には「１０」が記憶される。そして、ページ内容変換処理は終了され、メイン処理へ戻る。なお、めくり数Ｐが「ｎ−３」である場合には、図１６に示すように、ペーパ位置「１」、「２」は、初期状態から表示されるコンテンツページに変更はないので、表示の更新は行われない。
【０１４６】
また、めくり数Ｐが「ｎ−３」でもなく（Ｓ７５：ＮＯ）、めくり数Ｐが「ｎ−２＝１０−２＝８」である場合には（Ｓ７６：ＹＥＳ）、第二ページ順序テーブルのペーパ位置「２」〜「ｎ−３」に、ペーパ位置「１」に表示されているコンテンツページの続きが表示される（Ｓ８６）。たとえば、図１６に示した例では、ペーパ位置が「めくり８」である行に示すように、「１」番目には、ペーパＩＤ「Ｓ０９」の電子ペーパ５があり、初期状態では「Ｓ０９」の電子ペーパ５の表示部３６，４６にはコンテンツページ「１２」の画像が表示されている。よって、ペーパ位置「２」〜「ｎ−３＝１０−３＝７」番目の表示部３６，４６には、図１６に示すように、コンテンツページ「１３」〜「１８」の画像が表示される。そこで、第二ページ順序テーブル記憶エリア３３２のペーパ位置「２」〜「７」の表示中文書内容に「１３」〜「１８」がそれぞれ記憶される。
【０１４７】
次いで、Ｓ９６へ進み、第二ページ順序テーブルのペーパ位置「ｎ−２」にペーパ位置「１」の表示部３６，４６に表示されているコンテンツページの１０ページ後の画像が表示される（Ｓ９６）。図１６に示す例では、１番目のコンテンツページ「１２」であるので、ページ位置「ｎ−２＝１０−２＝８」番目の表示部３６，４６に、「１２＋１０＝２２」の画像が表示される。そこで、第二ページ順序テーブル記憶エリア３３２のペーパ位置「８」の表示中文書内容には「２２」が記憶される。
【０１４８】
次いで、Ｓ９７へ進み、第二ページ順序テーブルのペーパ位置「ｎ−１」にペーパ位置「１」の表示部３６，４６に表示されているコンテンツページの１１ページ後の画像が表示される（Ｓ９７）。図１６に示す例では、１番目のコンテンツページ「１２」である。よって、ページ位置「ｎ−１＝１０−１＝９」番目の表示部３６，４６に、「１２＋１１＝２３」の画像が表示される。そこで、第二ページ順序テーブル記憶エリア３３２のペーパ位置「９」の表示中文書内容には「２３」が記憶される。そして、ページ内容変換処理は終了され、メイン処理へ戻る。なお、めくり数Ｐが「ｎ−２」である場合には、図１６に示すように、ペーパ位置「１」、「ｎ」は、初期状態から表示されるコンテンツページに変更はないので、表示の更新は行われない。
【０１４９】
また、めくり数Ｐが「ｎ−２」でもなく（Ｓ７６：ＮＯ）、めくり数Ｐが「ｎ−１＝１０−１＝９」である場合には（Ｓ７７：ＹＥＳ）、第二ページ順序テーブルのペーパ位置「２」〜「ｎ−３」に、ペーパ位置「１」に表示されているコンテンツページの続きが表示される（Ｓ８７）。たとえば、図１６に示した例では、ペーパ位置が「めくり９」である行に示すように、「１」番目には、ペーパＩＤ「Ｓ１０」の電子ペーパ５があり、初期状態では「Ｓ１０」の電子ペーパ５の表示部３６，４６にはコンテンツページ「５５」の画像が表示されている。「５５」は最後のコンテンツページであるので、１１ページ後のコンテンツページは存在しない。しかし、本実施の形態では１〜５５ページを循環させている。よって、ペーパ位置「２」〜「ｎ−３＝１０−３＝７」番目の表示部３６，４６には、図１６に示すように、コンテンツページ「１」〜「６」の画像が表示される。そこで、第二ページ順序テーブル記憶エリア３３２のペーパ位置「２」〜「７」の表示中文書内容に「１」〜「６」がそれぞれ記憶される。
【０１５０】
次いで、Ｓ９２へ進み、第二ページ順序テーブルのペーパ位置「ｎ−２」にペーパ位置「１」の表示部３６，４６に表示されているコンテンツページの１０ページ後の画像が表示される（Ｓ９２）。図１６に示す例では、１番目のコンテンツページ「５５」である。本実施の形態では、１〜５５ページを循環させている。よって、１０ページ後を算出した際に、最後のコンテンツページよりも大きいページ数となった場合には、最後のコンテンツページ数を算出した値から引けばよい。よって、ページ位置「ｎ−２＝１０−２＝８」番目の表示部３６，４６に、コンテンツページ「５５＋１０＝６５＞５５、６５−５５＝１０」の画像が表示される。そこで、第二ページ順序テーブル記憶エリア３３２のペーパ位置「８」の表示中文書内容には「１０」が記憶される。
【０１５１】
次いで、Ｓ９３へ進み、第二ページ順序テーブルのペーパ位置「ｎ−１」にペーパ位置「１」の表示部３６，４６に表示されているコンテンツページの１１ページ後の画像が表示される（Ｓ９３）。図１６に示す例では、１番目のコンテンツページが「５５」であるので、ページ位置「ｎ−１＝１０−１＝９」番目の表示部３６，４６に、コンテンツページ「５５＋１１＝６６＞５５、６６−５５＝１１」の画像が表示される。そこで、第二ページ順序テーブル記憶エリア３３２のペーパ位置「９」の表示中文書内容には「１１」が記憶される。
【０１５２】
そして、Ｓ９４へ進み、第二ページ順序テーブルのペーパ位置「ｎ」にペーパ位置「１」の表示部３６，４６に表示されているコンテンツページの１ページ前の画像が表示される（Ｓ９４）。図１６に示す例では、１番目のコンテンツページ「５５」であるので、ページ位置「ｎ＝１０」番目の表示部３６，４６に、「５５−１＝５４」の画像が表示される。そこで、第二ページ順序テーブル記憶エリア３３２のペーパ位置「１０」の表示中文書内容には「５４」が記憶される。そして、ページ内容変換処理は終了され、メイン処理へ戻る。なお、めくり数Ｐが「ｎ−１」である場合には、図１６に示すように、ペーパ位置「１」は、初期状態から表示されるコンテンツページに変更はないので、表示の更新は行われない。
【０１５３】
また、めくり数Ｐが「ｎ−１」でもない場合には（Ｓ７７：ＮＯ）、第二ページ順序テーブルのペーパ位置「ｎ−（Ｐ＋２）」〜「ｎ−３」に、ペーパ位置「ｎ−（Ｐ＋３）」に表示されているコンテンツページの続きのページが表示される（Ｓ９５）。たとえば、Ｐ＝４を例に考えると、図１６に示した例では、ペーパ位置が「めくり４」である行に示すように、「ｎ−（Ｐ＋３）＝１０−（４＋３）＝３」番目には、ペーパＩＤ「Ｓ０７」の電子ペーパ５があり、初期状態では「Ｓ０７」の電子ペーパ５の表示部３６，４６にはコンテンツページ「７」の画像が表示されている。よって、ペーパ位置「ｎ−（Ｐ＋２）＝１０−（４＋２）＝４」〜「ｎ−３＝１０−３＝７」番目の表示部３６，４６には、図１６に示すように、コンテンツページ「８」〜「１１」の画像が表示される。そこで、第二ページ順序テーブル記憶エリア３３２のペーパ位置「４」〜「７」の表示中文書内容に「８」〜１１」がそれぞれ記憶される。
【０１５４】
次いで、Ｓ９２へ進み、第二ページ順序テーブルのペーパ位置「ｎ−２」にペーパ位置「１」の表示部３６，４６に表示されているコンテンツページの１０ページ後の画像が表示される（Ｓ９２）。Ｐ＝４を例に考えると、図１６に示す例では、１番目のコンテンツページは「５」であるので、ページ位置「ｎ−２＝１０−２＝８」番目の表示部３６，４６に、「５＋１０＝１５」の画像が表示される。そこで、第二ページ順序テーブル記憶エリア３３２のペーパ位置「８」の表示中文書内容には「１５」が記憶される。
【０１５５】
次いで、Ｓ９３へ進み、第二ページ順序テーブルのペーパ位置「ｎ−１」にペーパ位置「１」の表示部３６，４６に表示されているコンテンツページの１１ページ後の画像が表示される（Ｓ９３）。図１６に示す例では、１番目のコンテンツページ「５」であるので、ページ位置「ｎ−１＝１０−１＝９」番目の表示部３６，４６に、「５＋１１＝１６」の画像が表示される。そこで、第二ページ順序テーブル記憶エリア３３２のペーパ位置「９」の表示中文書内容には「１６」が記憶される。そして、ページ内容変換処理は終了され、メイン処理へ戻る。なお、めくり数Ｐが「２」〜「６」である場合には、図１６に示すように、ペーパ位置「１」〜「ｎ−（Ｐ＋３）」、「ｎ」は、初期状態から表示されるコンテンツページに変更はないので、表示の更新は行われない。
【０１５６】
第二の実施の形態では、以上のようにして、ページ内容変換処理が行われることにより、表示部３６，４６には、図１５に示した表示頁（一般）欄に示されている関係を保ってコンテンツページが表示される。ここでは、請求項にいう「ｘ」は「７＞２」であり、「ｘ＋１」が「８」、「離頁数Ｘ」は「１０」である。
【０１５７】
第二の実施の形態では、「ｎ−２」番目、「ｎ−１」番目の表示部からは最初の表示部に「１０」を加算したコンテンツページが表示され、「ｎ」番目の表示部には１番目の表示部に表示されているコンテンツページの１つ前のページが表示される。よって、１００ページといった後ろの方のページを表示させたい時に、表示部３６，４６に１ページから順に１０ページまでページ順に連続して表示されている場合と比べて、少ないめくり動作で閲覧したいコンテンツページの表示された表示部３６，４６を開くことができる。また、最後の表示部に１番目の表示部に表示されているコンテンツページの１つ前のページが表示されるので、めくりすぎてしまった場合であっても前のコンテンツページを表示させることができるので便利である。
【０１５８】
なお、上記第二の実施の形態では、接続ペーパ数ｎが「１０」である場合を説明したが、接続ペーパ数ｎは「１０」に限らないことは言うまでもない。たとえば、接続ペーパ数が「１５」である場合には、ペーパ位置「１」番目〜「１２」番目については、ページ順にコンテンツページを表示し、「１３」番目の表示部３６，４６に、「１」番目の表示部に「１０」を加算したページである「Ａ＋１０」ページを表示するようにしてもよい。この場合には、コンテンツページ「１，２，３，４，５，６，７，８，９，１０，１１，１２，１１，１２，最後のコンテンツページ」が表示されることとなる。また、上記第一の実施の形態では、ｘ＝７としたが、ｘの値は「７」に限らない。７より大きい数や小さい数であってもよい。接続ペーパ数ｎに基づいて決定してもよい。たとえば、「接続ペーパ数ｎ−接続ペーパ数ｎ×３／１０」の整数部としてもよい。
【０１５９】
また、１番目の表示部３６，４６に表示されているコンテンツページ「Ａ」に加算する値は「１０」に限らず、この値も接続ペーパ数ｎに基づいて決定したり（たとえば、接続ペーパ数ｎと同じ値）、１０，１５，２０，３０，５０等の切りのよい数字を予め１つ登録したりしてもよい。また、切りのよい数字は複数記憶しておき、複数の数字から１つの数字を選択してもよい。この選択の際には、たとえば、接続ペーパ数ｎより小さい最大の数を選択すればよい。
【０１６０】
次に、図１８乃至図２０を参照して、第三の実施の形態について説明する。第三の実施の形態では、表示装置１に綴じられている電子ペーパ５の最後の電子ペーパ５には、１番目のコンテンツに表示されているコンテンツページ（Ａページ）の１つ前のコンテンツページを表示し、最後から２番目の電子ペーパ５には、Ａページの２つ前のページを表示し、最後から３番目の電子ペーパ５には、Ａページ「１１」を加算したページを表示し、最後から４番目の電子ペーパ５には、Ａページに「１１」を加算したページを表示する。なお、Ａページが「１」である場合には、第二の実施の形態と同様に、最後のページにはコンテンツの最後のページ（「ｍページ」とする）を表示する。つまり、Ａページが「１」であり、ｍページが「５５」である場合には、電子ペーパ５にはコンテンツページが「１，２，３，・・・，６，１１，１２，５４，５５」の順で表示される。ここでも、第一の実施の形態と同様に、表示装置１には１０枚の電子ペーパ５が綴じられており、１０個の表示部３６，４６がある場合を例に説明する。
【０１６１】
図１８は、第三の実施の形態において最初に電子ペーパ５の表示部３６，４６に表示されるコンテンツページの状態を示した模式図であり、図１９は、第三の実施の形態においてページをめくった際に電子ペーパの表示部３６，４６に表示されるコンテンツページの状態を示した模式図である。そして、図２０は、第三の実施の形態における、メイン処理で行われるページ内容変換処理のフローチャートである。
【０１６２】
図１８を参照して、表示装置１の表示状態を、「ペーパ位置」、「ペーパＩＤ」、「表次頁（初期）」、「表次頁（一般）」の項目で説明する。各項目については、第一の実施の形態と同様であるので、説明を援用して省略する。
【０１６３】
図１８に示すように、第三の実施の形態では、ペーパ位置「１」番目〜「６」番目においては、ページの順にコンテンツページが表示される。つまり、初期状態では、ペーパ位置「１」番目〜「６」番目にはコンテンツページの「１」ページ目〜「６」ページ目が順に表示される。一般的には「Ａ」ページ目，「Ａ＋１」ページ目，「Ａ＋２」ページ目，「Ａ＋３」ページ目，「Ａ＋４」ページ目，「Ａ＋５」ページ目が表示される。そして、ペーパ位置「７」番目，「８」番目、つまり、最後から３番目及び４番目の表示部３６，４６には、初期状態ではコンテンツページの「１１」ページ目，「１２」ページ目が表示される。一般的には、「Ａ＋１０」ページ目，「Ａ＋１１」ページ目が表示される。そして、ページ位置が「９」番目，「１０」番目、つまり最後から２つの表示部３６，４６においては、初期状態では「５４」ページ目，「５５」ページ目が表示される。一般的には、「Ａ−２」番目，「Ａ−１」番目のコンテンツページが表示される。なお、初期状態では「Ａ＝１」であるので、コンテンツページの最大ページ数を「ｍ」とすると、コンテンツページを「１，２，３，・・・，ｍ−２，ｍ−１，ｍ，１，２，・・・」と循環していると捉え、「Ａ−１＝ｍ」として、最後のコンテンツページが表示されることとなる。
【０１６４】
また、図１９に示すように、第三の実施の形態では、電子ペーパ５がめくられても（ページめくりされても）、電子ペーパ５の表示部３６，４６に表示されるコンテンツページには図１８の「表示頁（一般）」に示したような関係が保たれる。
【０１６５】
よって、「１」番目〜「６」番目、「７」番目と「８」番目、「９」番目と「１０」番目の表示部３６，４６では、各表示部間のコンテンツページの差は「１」であるが、「１」番目の表示部３６，４６に表示されているコンテンツページと「７」番目の表示部３６，４６とに表示されているコンテンツページとの差は「１０」となっている。さらに、「１０」番目の表示部３６，４６に表示されているコンテンツページは、「１」番目の表示部３６，４６に表示されているコンテンツページの１つ前のページである「５５」となっており、「９」番目の表示部３６，４６に表示されているコンテンツページは、「１０」番目の表示部３６，４６に表示されているコンテンツページの１つ前のページである「５４」となっている。ここでは、請求項にいう「ｘ」は「６＞２」であり、「ｘ＋１」が「７」、「離頁数Ｘ」は「１０」である。よって、「ｘ＋１」番目には、１番目のコンテンツページよりも４ページ以上後ろの画像が表示されている。
【０１６６】
ここで、マスタペーパ３のＣＰＵ３１で行われるメイン処理について説明するが、メイン処理及びメイン処理で行われるめくり数検知処理については、第一の実施の形態（図12，図１３参照）と同様であるので、説明を援用して省略する。そして、第一の実施の形態とは異なる処理が行われるページ内容変換処理について、図２０に示すフローチャートを参照して説明する。
【０１６７】
まず、めくり数記憶エリア３３７に記憶されているめくり数Ｐが「０」であるか否かの判断が行われる（Ｓ１０１）。めくり数Ｐが「０」であれば（Ｓ１０１：ＹＥＳ）、電子ペーパ５はめくられていないので、表示を更新する必要はなく、ページ内容変換処理は終了し、メイン処理へ戻る。
【０１６８】
めくり数Ｐが「０」でなければ（Ｓ１０１：ＮＯ）、めくり数Ｐが「１」であるか否かの判断が行われる（Ｓ１０２）。めくり数Ｐが「１」である場合には（Ｓ１０２：ＹＥＳ）、第二ページ順序テーブルのペーパ位置「ｎ−４」に、ペーパ位置「ｎ−５」に表示されているコンテンツページの続きのページが表示される（Ｓ１１２）。たとえば、図１９に示した例では、接続ペーパ数ｎ＝１０である。よって、この状態から１枚の電子ペーパ５がめくられた場合には、ペーパ位置が「めくり１」である行に示すように、「ｎ−５＝１０−５＝５」番目にはペーパＩＤ「Ｓ０６」の電子ペーパ５があり、初期状態では「Ｓ０６」の電子ペーパ５の表示部３６，４６にはコンテンツページ「６」の画像が表示されている。よって、ペーパ位置「ｎ−４＝１０−４＝６」番目の表示部３６，４６には、コンテンツページ「６」の続きである「７」ページ目の画像が表示される。そこで、第二ページ順序テーブル記憶エリア３３２のペーパ位置「６」の表示中文書内容に「７」が記憶される。
【０１６９】
次いで、Ｓ１２５へ進み、第二ページ順序テーブルのペーパ位置「ｎ−２」にペーパ位置「１」の表示部３６，４６に表示されているコンテンツページの１１ページ後の画像が表示される（Ｓ１２１）。図１９に示す例では、１番目のコンテンツページが「２」であるので、ページ位置「ｎ−２＝１０−２＝８」番目の表示部３６，４６に、「２＋１１＝１３」の画像が表示される。そこで、第二ページ順序テーブル記憶エリア３３２のペーパ位置「８」の表示中文書内容には「１３」が記憶される。そして、ページ内容変換処理は終了され、メイン処理へ戻る。なお、めくり数Ｐが「１」である場合には、図１９に示すように、ペーパ位置「１〜ｎ−５」、「ｎ−３」、「ｎ−１」、「ｎ」は、初期状態から表示されるコンテンツページに変更はないので、表示の更新は行われない。
【０１７０】
また、めくり数Ｐが「１」でもなく（Ｓ１０２：ＮＯ）、めくり数Ｐが「２」である場合には（Ｓ１０３：ＹＥＳ）、第二ページ順序テーブルのペーパ位置「ｎ−５」，「ｎ−４」に、ペーパ位置「ｎ−６」に表示されているコンテンツページの続きのページが表示される（Ｓ１１３）。たとえば、図１１に示した例では、ペーパ位置が「めくり２」である行に示すように、「ｎ−６＝１０−６＝４」番目にはペーパＩＤ「Ｓ０６」の電子ペーパ５があり、初期状態では「Ｓ０６」の電子ペーパ５の表示部３６，４６にはコンテンツページ「６」の画像が表示されている。よって、ペーパ位置「ｎ−５＝１０−５＝５」番目、「ｎ−４＝１０−４＝６」番目の表示部３６，４６、には、コンテンツページ「７６」の続きである「７」ページ、「８」ページが表示される。そこで、第二ページ順序テーブル記憶エリア３３２のペーパ位置「５」、「６」の表示中文書内容に「７」、「８」が記憶される。
【０１７１】
次いで、Ｓ１２４へ進み、第二ページ順序テーブルのペーパ位置「ｎ−３」にペーパ位置「１」の表示部３６，４６に表示されているコンテンツページの１０ページ後の画像が表示される（Ｓ１２４）。図１１に示す例では、１番目のコンテンツページが「３」であるので、ページ位置「ｎ−３＝１０−３＝７」番目の表示部３６，４６に、「３＋１０＝１３」の画像が表示される。そこで、第二ページ順序テーブル記憶エリア３３２のペーパ位置「７」の表示中文書内容には「１３」が記憶される。
【０１７２】
そして、Ｓ１２５へ進み、第二ページ順序テーブルのペーパ位置「ｎ−２」にペーパ位置「１」の表示部３６，４６に表示されているコンテンツページの１１ページ後の画像が表示される（Ｓ１２１）。図１９に示す例では、１番目のコンテンツページが「３」であるので、ページ位置「ｎ−２＝１０−２＝８」番目の表示部３６，４６に、「３＋１１＝１４」の画像が表示される。そこで、第二ページ順序テーブル記憶エリア３３２のペーパ位置「８」の表示中文書内容には「１４」が記憶される。そして、ページ内容変換処理は終了され、メイン処理へ戻る。なお、めくり数Ｐが「１」である場合には、図１９に示すように、ペーパ位置「１〜４」、「ｎ−１」、「ｎ」は、初期状態から表示されるコンテンツページに変更はないので、表示の更新は行われない。
【０１７３】
また、めくり数Ｐが「２」でもなく（Ｓ１１３：ＮＯ）、めくり数Ｐが「ｎ−４＝１０−４＝６」である場合には（Ｓ１０４：ＹＥＳ）、第二ページ順序テーブルのペーパ位置「３」〜「ｎ−４」に、ペーパ位置「２」に表示されているコンテンツページの続きのページが表示される（Ｓ１１４）。たとえば、図１９に示した例では、ペーパ位置が「めくり６」である行に示すように、「２」番目には、ペーパＩＤ「Ｓ０８」の電子ペーパ５があり、初期状態では「Ｓ０８」の電子ペーパ５の表示部３６，４６にはコンテンツページ「１２」の画像が表示されている。よって、ペーパ位置「３」〜「ｎ−４＝１０−４＝６」番目の表示部３６，４６には、図１９に示すように、コンテンツページ「１３」〜「１６」の画像が表示される。そこで、第二ページ順序テーブル記憶エリア３３２のペーパ位置「３」〜「６」の表示中文書内容に「１３」〜「１６」がそれぞれ記憶される。
【０１７４】
次いで、Ｓ１２１へ進み、第二ページ順序テーブルのペーパ位置「ｎ」にペーパ位置「１」の表示部３６，４６に表示されているコンテンツページの１ページ前の画像が表示される（Ｓ１２１）。図１９に示す例では、１番目のコンテンツページ「１１」であるので、ページ位置「ｎ＝１０」番目の表示部３６，４６に、「１１−１＝１０」の画像が表示される。そこで、第二ページ順序テーブル記憶エリア３３２のペーパ位置「１０」の表示中文書内容には「１０」が記憶される。そして、ページ内容変換処理は終了され、メイン処理へ戻る。
【０１７５】
次いで、Ｓ１２２へ進み、第二ページ順序テーブルのペーパ位置「ｎ−１」にペーパ位置「１」の表示部３６，４６に表示されているコンテンツページの２ページ前の画像が表示される（Ｓ１２１）。図１９に示す例では、１番目のコンテンツページ「１１」であるので、ページ位置「ｎ−１＝１０−１＝９」番目の表示部３６，４６に、「１１−２＝９」の画像が表示される。そこで、第二ページ順序テーブル記憶エリア３３２のペーパ位置「９」の表示中文書内容には「９」が記憶される。そして、ページ内容変換処理は終了され、メイン処理へ戻る。
【０１７６】
次いで、Ｓ１２４へ進み、第二ページ順序テーブルのペーパ位置「ｎ−３」にペーパ位置「１」の表示部３６，４６に表示されているコンテンツページの１０ページ後の画像が表示される（Ｓ１２４）。図１１に示す例では、１番目のコンテンツページが「１１」であるので、ページ位置「ｎ−３＝１０−３＝７」番目の表示部３６，４６に、「１１＋１０＝２１」の画像が表示される。そこで、第二ページ順序テーブル記憶エリア３３２のペーパ位置「７」の表示中文書内容には「２１」が記憶される。
【０１７７】
そして、Ｓ１２５へ進み、第二ページ順序テーブルのペーパ位置「ｎ−２」にペーパ位置「１」の表示部３６，４６に表示されているコンテンツページの１１ページ後の画像が表示される（Ｓ１２１）。図１９に示す例では、１番目のコンテンツページが「１１」であるので、ページ位置「ｎ−２＝１０−２＝８」番目の表示部３６，４６に、「１１＋１１＝２２」の画像が表示される。そこで、第二ページ順序テーブル記憶エリア３３２のペーパ位置「８」の表示中文書内容には「２２」が記憶される。そして、ページ内容変換処理は終了され、メイン処理へ戻る。なお、めくり数Ｐが「ｎ−４」である場合には、図１９に示すように、ペーパ位置「１」は、初期状態から表示されるコンテンツページに変更はないので、表示の更新は行われない。
【０１７８】
また、めくり数Ｐが「ｎ−４」でもなく（Ｓ１０４：ＮＯ）、めくり数Ｐが「ｎ−３＝１０−３＝７」である場合には（Ｓ１０５：ＹＥＳ）、第二ページ順序テーブルのペーパ位置「２」〜「ｎ−４」に、ペーパ位置「１」に表示されているコンテンツページの続きのページが表示される（Ｓ１１５）。たとえば、図１９に示した例では、ペーパ位置が「めくり７」である行に示すように、「１」番目には、ペーパＩＤ「Ｓ０８」の電子ペーパ５があり、初期状態では「Ｓ０８」の電子ペーパ５の表示部３６，４６にはコンテンツページ「１２」の画像が表示されている。よって、ペーパ位置「２」〜「ｎ−４＝１０−４＝６」番目の表示部３６，４６には、図１９に示すように、コンテンツページ「１３」〜「１７」の画像が表示される。そこで、第二ページ順序テーブル記憶エリア３３２のペーパ位置「２」〜「６」の表示中文書内容に「１３」〜「１７」がそれぞれ記憶される。
【０１７９】
次いで、Ｓ１２２へ進み、第二ページ順序テーブルのペーパ位置「ｎ−１」にペーパ位置「１」の表示部３６，４６に表示されているコンテンツページの２ページ前の画像が表示される（Ｓ１２１）。図１９に示す例では、１番目のコンテンツページ「１２」であるので、ページ位置「ｎ−１＝１０−１＝９」番目の表示部３６，４６に、「１２−２＝１０」の画像が表示される。そこで、第二ページ順序テーブル記憶エリア３３２のペーパ位置「９」の表示中文書内容には「１０」が記憶される。そして、ページ内容変換処理は終了され、メイン処理へ戻る。
【０１８０】
次いで、Ｓ１２４へ進み、第二ページ順序テーブルのペーパ位置「ｎ−３」にペーパ位置「１」の表示部３６，４６に表示されているコンテンツページの１０ページ後の画像が表示される（Ｓ１２４）。図１１に示す例では、１番目のコンテンツページが「１２」であるので、ページ位置「ｎ−３＝１０−３＝７」番目の表示部３６，４６に、「１２＋１０＝２２」の画像が表示される。そこで、第二ページ順序テーブル記憶エリア３３２のペーパ位置「７」の表示中文書内容には「２２」が記憶される。
【０１８１】
そして、Ｓ１２５へ進み、第二ページ順序テーブルのペーパ位置「ｎ−２」にペーパ位置「１」の表示部３６，４６に表示されているコンテンツページの１１ページ後の画像が表示される（Ｓ１２１）。図１９に示す例では、１番目のコンテンツページが「１２」であるので、ページ位置「ｎ−２＝１０−２＝８」番目の表示部３６，４６に、「１２＋１１＝２３」の画像が表示される。そこで、第二ページ順序テーブル記憶エリア３３２のペーパ位置「８」の表示中文書内容には「２３」が記憶される。そして、ページ内容変換処理は終了され、メイン処理へ戻る。なお、めくり数Ｐが「ｎ−３」である場合には、図１９に示すように、ペーパ位置「１」、「ｎ」は、初期状態から表示されるコンテンツページに変更はないので、表示の更新は行われない。
【０１８２】
また、めくり数Ｐが「ｎ−３」でもなく（Ｓ１０５：ＮＯ）、めくり数Ｐが「ｎ−２＝１０−２＝８」である場合には（Ｓ１０６：ＹＥＳ）、Ｓ１２１へ進み、第二ページ順序テーブルのペーパ位置「ｎ」にペーパ位置「１」の表示部３６，４６に表示されているコンテンツページの１ページ前の画像が表示される（Ｓ１２１）。図１９に示す例では、１番目のコンテンツページ「５４」であるので、ページ位置「ｎ＝１０」番目の表示部３６，４６に、「５４−１＝５３」の画像が表示される。そこで、第二ページ順序テーブル記憶エリア３３２のペーパ位置「１０」の表示中文書内容には「５３」が記憶される。そして、ページ内容変換処理は終了され、メイン処理へ戻る。
【０１８３】
次いで、Ｓ１２２へ進み、第二ページ順序テーブルのペーパ位置「ｎ−１」にペーパ位置「１」の表示部３６，４６に表示されているコンテンツページの２ページ前の画像が表示される（Ｓ１２１）。図１９に示す例では、１番目のコンテンツページ「５４」であるので、ページ位置「ｎ−１＝１０−１＝９」番目の表示部３６，４６に、「５４−２＝５２」の画像が表示される。そこで、第二ページ順序テーブル記憶エリア３３２のペーパ位置「９」の表示中文書内容には「５２」が記憶される。
【０１８４】
次いで、Ｓ１２４へ進み、第二ページ順序テーブルのペーパ位置「ｎ−３」にペーパ位置「１」の表示部３６，４６に表示されているコンテンツページの１０ページ後の画像が表示される（Ｓ１２４）。図１１に示す例では、１番目のコンテンツページが「５４」であり、コンテンツページは全部で５５ページである。よって、ページ位置「ｎ−３＝１０−３＝７」番目の表示部３６，４６に、コンテンツページ「５４＋１０＝６４＞５５、６４−５５＝９」の画像が表示される。そこで、第二ページ順序テーブル記憶エリア３３２のペーパ位置「７」の表示中文書内容には「９」が記憶される。
【０１８５】
そして、Ｓ１２５へ進み、第二ページ順序テーブルのペーパ位置「ｎ−２」にペーパ位置「１」の表示部３６，４６に表示されているコンテンツページの１１ページ後の画像が表示される（Ｓ１２１）。図１９に示す例では、１番目のコンテンツページが「５４」であるので、ページ位置「ｎ−２＝１０−２＝８」番目の表示部３６，４６に、「５４＋１１＝６５＞５５、６５−５５＝１０」の画像が表示される。そこで、第二ページ順序テーブル記憶エリア３３２のペーパ位置「８」の表示中文書内容には「１０」が記憶される。そして、ページ内容変換処理は終了され、メイン処理へ戻る。なお、めくり数Ｐが「ｎ−４」である場合には、図１９に示すように、ペーパ位置「１」は、初期状態から表示されるコンテンツページに変更はないので、表示の更新は行われない。
【０１８６】
また、めくり数Ｐが「ｎ−２」でもなく（Ｓ１０６：ＮＯ）、めくり数Ｐが「ｎ−１＝１０−１＝９」である場合には（Ｓ１０７：ＹＥＳ）、Ｓ１２２へ進み、第二ページ順序テーブルのペーパ位置「ｎ−１」にペーパ位置「１」の表示部３６，４６に表示されているコンテンツページの２ページ前の画像が表示される（Ｓ１２１）。図１９に示す例では、１番目のコンテンツページ「５５」であるので、ページ位置「ｎ−１＝１０−１＝９」番目の表示部３６，４６に、「５５−２＝５３」の画像が表示される。そこで、第二ページ順序テーブル記憶エリア３３２のペーパ位置「９」の表示中文書内容には「５３」が記憶される。
【０１８７】
次いで、Ｓ１２４へ進み、第二ページ順序テーブルのペーパ位置「ｎ−３」にペーパ位置「１」の表示部３６，４６に表示されているコンテンツページの１０ページ後の画像が表示される（Ｓ１２４）。図１１に示す例では、１番目のコンテンツページが「５５」である。よって、ページ位置「ｎ−３＝１０−３＝７」番目の表示部３６，４６に、コンテンツページ「５５＋１０＝６５＞５５、６５−５５＝１０」の画像が表示される。そこで、第二ページ順序テーブル記憶エリア３３２のペーパ位置「７」の表示中文書内容には「１０」が記憶される。
【０１８８】
そして、Ｓ１２５へ進み、第二ページ順序テーブルのペーパ位置「ｎ−２」にペーパ位置「１」の表示部３６，４６に表示されているコンテンツページの１１ページ後の画像が表示される（Ｓ１２１）。図１９に示す例では、１番目のコンテンツページが「５５」であるので、ページ位置「ｎ−２＝１０−２＝８」番目の表示部３６，４６に、「５５＋１１＝６６＞５５、６６−５５＝１１」の画像が表示される。そこで、第二ページ順序テーブル記憶エリア３３２のペーパ位置「８」の表示中文書内容には「１０」が記憶される。そして、ページ内容変換処理は終了され、メイン処理へ戻る。なお、めくり数Ｐが「ｎ−１」である場合には、図１９に示すように、ペーパ位置「１」、「ｎ」は、初期状態から表示されるコンテンツページに変更はないので、表示の更新は行われない。
【０１８９】
また、めくり数Ｐが「ｎ−１」でもない場合には（Ｓ１０７：ＮＯ）、第二ページ順序テーブルのペーパ位置「ｎ−（Ｐ＋３）」〜「ｎ−４」に、ペーパ位置「ｎ−（Ｐ＋４）」に表示されているコンテンツページの続きのページが表示される（Ｓ１２５）。たとえば、Ｐ＝４を例に考えると、図１９に示した例では、ペーパ位置が「めくり４」である行に示すように、「ｎ−（Ｐ＋４）＝１０−（４＋４）＝２」番目には、ペーパＩＤ「Ｓ０６」の電子ペーパ５があり、初期状態では「Ｓ０６」の電子ペーパ５の表示部３６，４６にはコンテンツページ「６」の画像が表示されている。よって、ペーパ位置「ｎ−（Ｐ＋３）＝１０−（４＋３）＝３」〜「ｎ−４＝１０−４＝６」番目の表示部３６，４６には、図１９に示すように、コンテンツページ「８」〜「１１」の画像が表示される。そこで、第二ページ順序テーブル記憶エリア３３２のペーパ位置「３」〜「６」の表示中文書内容に「７」〜「１０」がそれぞれ記憶される。
【０１９０】
次いで、Ｓ１２４へ進み、第二ページ順序テーブルのペーパ位置「ｎ−３」にペーパ位置「１」の表示部３６，４６に表示されているコンテンツページの１０ページ後の画像が表示される（Ｓ１２４）。Ｐ＝４を例に考えると、図１１に示す例では、１番目のコンテンツページが「５」である。よって、ページ位置「ｎ−３＝１０−３＝７」番目の表示部３６，４６に、コンテンツページ「５＋１０＝１５」の画像が表示される。そこで、第二ページ順序テーブル記憶エリア３３２のペーパ位置「７」の表示中文書内容には「１５」が記憶される。
【０１９１】
そして、Ｓ１２５へ進み、第二ページ順序テーブルのペーパ位置「ｎ−２」にペーパ位置「１」の表示部３６，４６に表示されているコンテンツページの１１ページ後の画像が表示される（Ｓ１２１）。Ｐ＝４を例に考えると、図１９に示す例では、１番目のコンテンツページが「５」であるので、ページ位置「ｎ−２＝１０−２＝８」番目の表示部３６，４６に、「５＋１１＝１６」の画像が表示される。そこで、第二ページ順序テーブル記憶エリア３３２のペーパ位置「８」の表示中文書内容には「１６」が記憶される。そして、ページ内容変換処理は終了され、メイン処理へ戻る。なお、めくり数Ｐが「２」〜「５」である場合には、図１９に示すように、ペーパ位置「１」〜「ｎ−（Ｐ＋４）」、「ｎ−１」、「ｎ」は、初期状態から表示されるコンテンツページに変更はないので、表示の更新は行われない。
【０１９２】
第三の実施の形態では、以上のようにして、ページ内容変換処理が行われることにより、表示部３６，４６には、図１８に示した表示頁（一般）欄に示されている関係を保ってコンテンツページが表示される。第三の実施の形態では、「ｎ−３」番目、「ｎ−２」番目の表示部からは最初の表示部に「１０」を加算したコンテンツページが表示され、「ｎ−１」番目、「ｎ」番目の表示部には１番目の表示部に表示されているコンテンツページの１つ前のページが表示される。よって、１００ページといった後ろの方のページを表示させたい時に、表示部３６，４６に１ページから順に１０ページまでページ順に連続して表示されている場合と比べて、少ないめくり動作で閲覧したいコンテンツページの表示された表示部３６，４６を開くことができる。また、最後の２つの表示部に１番目の表示部に表示されているコンテンツページの１つ前のページが表示されるので、めくりすぎてしまった場合であっても前のコンテンツページを表示させることができるので便利である。
【０１９３】
なお、上記第三の実施の形態では、接続ペーパ数ｎが「１０」である場合を説明したが、接続ペーパ数ｎは「１０」に限らないことは言うまでもない。また、上記第一の実施の形態では、ｘ＝７としたが、ｘの値は「７」に限らない。７より大きい数や小さい数であってもよい。接続ペーパ数ｎに基づいて決定してもよい。たとえば、「接続ペーパ数ｎ−接続ペーパ数ｎ×３／１０」の整数部としてもよい。また、１番目の表示部３６，４６に表示されているコンテンツページの１つ前と２つ前のコンテンツページを、ｎ，ｎ−１番目の表示部３６，４６に表示したが、１番目の前のコンテンツページを表示する表示部は２つに限らず、これ以上であってもよい。
【０１９４】
また、１番目の表示部３６，４６に表示されているコンテンツページ「Ａ」に加算する値は「１０」に限らず、この値も接続ペーパ数ｎに基づいて決定したり（たとえば、接続ペーパ数ｎと同じ値）、１０，１５，２０，３０，５０等の切りのよい数字を予め１つ登録したりしてもよい。また、切りのよい数字は複数記憶しておき、複数の数字から１つの数字を選択してもよい。この選択の際には、たとえば、接続ペーパ数ｎより小さい最大の数を選択すればよい。
【０１９５】
次に、図２１乃至図２３を参照して、第四の実施の形態について説明する。第四の実施の形態では、表示装置１に綴じられている電子ペーパ５の最後の電子ペーパ５には、表示装置１に綴じられている電子ペーパ５の最後の３枚に、１番目のコンテンツに表示されているコンテンツページ（Ａページ）に、前から順に「１０」、「２０」、「３０」を加算したページを表示する。つまり、表示装置１において、Ａページが「１」であれば、電子ペーパ５にはコンテンツページが「１，２，３，・・・，７，１１，２１，３１」の順で表示される。ここでも、第一の実施の形態と同様に、表示装置１には１０枚の電子ペーパ５が綴じられており、１０の表示部３６，４６がある場合を例に説明する。
【０１９６】
図２１は、第四の実施の形態において最初に電子ペーパ５の表示部３６，４６に表示されるコンテンツページの状態を示した模式図であり、図２２は、第四の実施の形態においてページをめくった際に電子ペーパの表示部３６，４６に表示されるコンテンツページの状態を示した模式図である。そして、図２３は、第四の実施の形態における、メイン処理で行われるページ内容変換処理のフローチャートである。
【０１９７】
図２１を参照して、表示装置１の表示状態を、「ペーパ位置」、「ペーパＩＤ」、「表次頁（初期）」、「表次頁（一般）」の項目で説明する。各項目については、第一の実施の形態と同様であるので、説明を援用して省略する。
【０１９８】
図２１に示すように、第四の実施の形態では、ペーパ位置「１」番目〜「７」番目においては、ページの順にコンテンツページが表示される。つまり、初期状態では、ペーパ位置「１」番目〜「７」番目にはコンテンツページの「１」ページ目〜「７」ページ目が順に表示される。一般的には「Ａ」ページ目，「Ａ＋１」ページ目，「Ａ＋２」ページ目，「Ａ＋３」ページ目，「Ａ＋４」ページ目，「Ａ＋５」ページ目，「Ａ＋６」ページ目が表示される。そして、ペーパ位置「８」番目〜「１０」番目、つまり、最後から３つ分の表示部３６，４６には、初期状態ではコンテンツページの「１１」ページ目，「２１」ページ目，「３１」ページ目が表示される。一般的には、「Ａ＋１０」ページ目，「Ａ＋１０」ページ目，「Ａ＋２０」ページ目が表示される。
【０１９９】
また、図２２に示すように、第四の実施の形態では、電子ペーパ５がめくられても（ページめくりされても）、電子ペーパ５の表示部３６，４６に表示されるコンテンツページには図２１の「表示頁（一般）」に示したような関係が保たれる。
【０２００】
よって、「１」番目〜「７」番目の表示部３６，４６では、各表示部間のコンテンツページの差は「１」であるが、７番目の表示部３６，４６に表示されているコンテンツページと８番目の表示部３６，４６とに表示されているコンテンツページとの差は「１０」となっている。さらに、７番目の表示部３６，４６に表示されているコンテンツページと８番目の表示部３６，４６とに表示されているコンテンツページとの差は「２０」となっている。ここでは、請求項にいう「ｘ」は「７＞２」であり、「ｘ＋１」が「８」、「離頁数Ｘ」は「１０」である。よって、１番目のコンテンツページよりも「４」ページ以上後ろの画像が表示されている。そして、「ｙ」は「８」であり、「ｙ＋１」が「９」、「離頁数Ｙ」は「２０」である。よって、１番目のコンテンツページよりも「５」ページ以上後ろの画像が表示されている。また、「２０＝２Ｘ」である。よって、「離頁数Ｙが離頁数Ｘの２倍」が成立している。
【０２０１】
まず、めくり数記憶エリア３３７に記憶されているめくり数Ｐが「０」であるか否かの判断が行われる（Ｓ１４１）。めくり数Ｐが「０」であれば（Ｓ１４１：ＹＥＳ）、電子ペーパ５はめくられていないので、表示を更新する必要はなく、ページ内容変換処理は終了し、メイン処理へ戻る。
【０２０２】
めくり数Ｐが「０」でなければ（Ｓ１４１：ＮＯ）、めくり数Ｐが「ｎ−１」，「ｎ−２」，「ｎ−３」のいずれかであるか否かの判断が行われる（Ｓ１４２）。めくり数Ｐが「ｎ−１」，「ｎ−２」，「ｎ−３」のいずれかである場合には（Ｓ１４２：ＹＥＳ）、第二ページ順序テーブルのペーパ位置「２」〜「ｎ−３」に、ペーパ位置「１」に表示されているコンテンツページの続きのページが表示される（Ｓ１４４）。たとえば、図２２に示した例では、ペーパ位置が「めくり８」である行に示すように、「１」番目には、ペーパＩＤ「Ｓ０９」の電子ペーパ５があり、初期状態では「Ｓ０９」の電子ペーパ５の表示部３６，４６にはコンテンツページ「２１」の画像が表示されている。よって、ペーパ位置「２」〜「ｎ−３＝１０−３＝７」番目の表示部３６，４６には、図２２に示すように、コンテンツページ「２２」〜「２７」の画像が表示される。そこで、第二ページ順序テーブル記憶エリア３３２のペーパ位置「２」〜「７」の表示中文書内容に「２２」〜「２７」がそれぞれ記憶される。
【０２０３】
次いで、Ｓ１４５へ進み、第二ページ順序テーブルのペーパ位置「ｎ−２」にペーパ位置「１」の表示部３６，４６に表示されているコンテンツページの１０ページ後の画像が表示される（Ｓ１４５）。めくり数Ｐ＝ｎ−２＝８とすると、図２２に示す例では、１番目のコンテンツページが「２１」であるので、ページ位置「ｎ−２＝１０−２＝８」番目の表示部３６，４６に、「２１＋１０＝３１」の画像が表示される。そこで、第二ページ順序テーブル記憶エリア３３２のペーパ位置「８」の表示中文書内容には「３１」が記憶される。
【０２０４】
そして、Ｓ１４６へ進み、第二ページ順序テーブルのペーパ位置「ｎ−１」にペーパ位置「１」の表示部３６，４６に表示されているコンテンツページの２０ページ後の画像が表示される（Ｓ１４６）。めくり数Ｐ＝ｎ−２＝８とすると、図２２に示す例では、１番目のコンテンツページが「２１」であるので、ページ位置「ｎ−１＝１０−１＝９」番目の表示部３６，４６に、「２１＋２０＝４１」の画像が表示される。そこで、第二ページ順序テーブル記憶エリア３３２のペーパ位置「９」の表示中文書内容には「４１」が記憶される。
【０２０５】
そして、Ｓ１４７へ進み、第二ページ順序テーブルのペーパ位置「ｎ」にペーパ位置「１」の表示部３６，４６に表示されているコンテンツページの３０ページ後の画像が表示される（Ｓ１４７）。めくり数Ｐ＝ｎ−２＝８とすると、図２２に示す例では、１番目のコンテンツページが「２１」であるので、ページ位置「ｎ＝１０」番目の表示部３６，４６に、「２１＋３０＝５１」の画像が表示される。そこで、第二ページ順序テーブル記憶エリア３３２のペーパ位置「１０」の表示中文書内容には「５１」が記憶される。そして、ページ内容変換処理は終了され、メイン処理へ戻る。なお、めくり数Ｐが「ｎ−１」，「ｎ−２」，「ｎ−３」のいずれかである場合には、図１９に示すように、ペーパ位置「１」は、初期状態から表示されるコンテンツページに変更はないので、表示の更新は行われない。
【０２０６】
また、めくり数Ｐが「ｎ−１」，「ｎ−２」，「ｎ−３」のいずれかでない場合には（Ｓ１４２：ＮＯ）、第二ページ順序テーブルのペーパ位置「ｎ−（Ｐ＋２）」〜「ｎ−３」に、ペーパ位置「ｎ−（Ｐ＋３）」に表示されているコンテンツページの続きのページが表示される（Ｓ１４３）。たとえば、Ｐ＝４を例に考えると、図２２に示した例では、ペーパ位置が「めくり４」である行に示すように、「ｎ−（Ｐ＋３）＝１０−（４＋３）＝３」番目には、ペーパＩＤ「Ｓ０７」の電子ペーパ５があり、初期状態では「Ｓ０７」の電子ペーパ５の表示部３６，４６にはコンテンツページ「７」の画像が表示されている。よって、ペーパ位置「ｎ−（Ｐ＋２）＝１０−（４＋２）＝４」〜「ｎ−３＝１０−３＝７」番目の表示部３６，４６には、図１１に示すように、コンテンツページ「８」〜「１１」の画像が表示される。そこで、第二ページ順序テーブル記憶エリア３３２のペーパ位置「４」〜「７」の表示中文書内容に「８」〜１１」がそれぞれ記憶される。
【０２０７】
次いで、Ｓ１４５へ進み、第二ページ順序テーブルのペーパ位置「ｎ−２」にペーパ位置「１」の表示部３６，４６に表示されているコンテンツページの１０ページ後の画像が表示される（Ｓ１４５）。めくり数Ｐ＝４とすると、図２２に示す例では、１番目のコンテンツページが「５」であるので、ページ位置「ｎ−２＝１０−２＝８」番目の表示部３６，４６に、「５＋１０＝１５」の画像が表示される。そこで、第二ページ順序テーブル記憶エリア３３２のペーパ位置「８」の表示中文書内容には「１５」が記憶される。
【０２０８】
そして、Ｓ１４６へ進み、第二ページ順序テーブルのペーパ位置「ｎ−１」にペーパ位置「１」の表示部３６，４６に表示されているコンテンツページの２０ページ後の画像が表示される（Ｓ１４６）。めくり数Ｐ＝４とすると、図２２に示す例では、１番目のコンテンツページが「５」であるので、ページ位置「ｎ−１＝１０−１＝９」番目の表示部３６，４６に、「５＋２０＝２５」の画像が表示される。そこで、第二ページ順序テーブル記憶エリア３３２のペーパ位置「９」の表示中文書内容には「２５」が記憶される。
【０２０９】
そして、Ｓ１４７へ進み、第二ページ順序テーブルのペーパ位置「ｎ」にペーパ位置「１」の表示部３６，４６に表示されているコンテンツページの３０ページ後の画像が表示される（Ｓ１４７）。めくり数Ｐ＝４とすると、図２２に示す例では、１番目のコンテンツページが「５」であるので、ページ位置「ｎ＝１０」番目の表示部３６，４６に、「５＋３０＝３５」の画像が表示される。そこで、第二ページ順序テーブル記憶エリア３３２のペーパ位置「１０」の表示中文書内容には「５７」が記憶される。そして、ページ内容変換処理は終了され、メイン処理へ戻る。なお、めくり数Ｐが「ｎ−１」，「ｎ−２」，「ｎ−３」のいずれか以外である場合には、図２２に示すように、ペーパ位置「１」〜「ｎ−（Ｐ＋３）」は、初期状態から表示されるコンテンツページに変更はないので、表示の更新は行われない。
【０２１０】
第四の実施の形態では、以上のようにして、ページ内容変換処理が行われることにより、表示部３６，４６には、図２１に示した表示頁（一般）欄に示されている関係を保ってコンテンツページが表示される。第四の実施の形態では、「ｎ−２」番目、「ｎ−１」番目、ｎ番目の表示部には最初の表示部に表示されているＡページに「１０」、「２０」、「３０」を加算したコンテンツページが表示される。よって、１００ページといった後ろの方のページを表示させたい時に、表示部３６，４６に１ページから順に１０ページまでページ順に連続して表示されている場合と比べて、少ないめくり動作で閲覧したいコンテンツページの表示された表示部３６，４６を開くことができる。
【０２１１】
また、第四の実施の形態においても、第二の実施の形態や第三の実施の形態のように、最後の表示部に１番目の表示部に表示されているコンテンツページの１つ前のページを表示させてもよい。
【０２１２】
なお、上記第四の実施の形態では、接続ペーパ数ｎが「１０」である場合を説明したが、接続ペーパ数ｎは「１０」に限らないことは言うまでもない。たとえば、接続ペーパ数が「１５」である場合には、ペーパ位置「１」番目〜「１２」番目については、ページ順にコンテンツページを表示し、最後の３つの表示部３６，４６である「１３」番目〜「１５」番目に「Ａ＋１０」，「Ａ＋２０」，「Ａ＋３０」を表示するようにしてもよい。この場合には、コンテンツページ「１，２，３，４，５，６，７，８，９，１０，１１，１２，１１，２１，３１」が表示されることとなる。また、上記第一の実施の形態では、ｘ＝８としたが、ｘの値は「８」に限らない。８より大きい数や小さい数であってもよい。接続ペーパ数ｎに基づいて決定してもよい。たとえば、「接続ペーパ数ｎ−接続ペーパ数ｎ×３／１０」の整数部としてもよい。
【０２１３】
また、１番目の表示部３６，４６に表示されているコンテンツページ「Ａ」に加算する値は「１０」に限らず、この値も接続ペーパ数ｎに基づいて決定したり（たとえば、接続ペーパ数ｎと同じ値）、１０，１５，２０，３０，５０等の切りのよい数字を予め１つ登録したりしてもよい。また、切りのよい数字は複数記憶しておき、複数の数字から１つの数字を選択してもよい。この選択の際には、たとえば、接続ペーパ数ｎより小さい最大の数を選択すればよい。
【０２１４】
次に、図２４乃至図２６を参照して、第五の実施の形態について説明する。第五の実施の形態では、表示装置１に綴じられている電子ペーパ５の最後の電子ペーパ５には、１番目のコンテンツに表示されているコンテンツページ（Ａページ）よりも大きく、１の位が「０」の数（１０の倍数）のうち最も小さい数のページを表示する。そして、最後から２番目〜４番目の電子ペーパ５には、Ａページよりも大きく、１の位及び１０の位が共に「０」（１００の倍数）のうち最も小さい数のページを表示する。たとえば、「Ａ＝ａ＋１０ｂ＋１００ｃ（ａ，ｂ，ｃは一桁の整数）」とすると、最後の電子ペーパ５には「１００（ｃ＋１）」ページが表示され、最後から２〜４番目の電子ペーパ５には、「１００c
＋１０（ｂ＋１）」ページが表示される。つまり、表示装置１において、Ａページが「１」であれば、電子ペーパ５にはコンテンツページが「１，２，３，・・・，６，１０，１０，１０，１００」の順で表示される。ここでも、第一の実施の形態と同様に、表示装置１には１０枚の電子ペーパ５が綴じられており、１０の表示部３６，４６がある場合を例に説明する。
【０２１５】
図２４は、第五の実施の形態において最初に電子ペーパ５の表示部３６，４６に表示されるコンテンツページの状態を示した模式図であり、図２５は、第五の実施の形態においてページをめくった際に電子ペーパの表示部３６，４６に表示されるコンテンツページの状態を示した模式図である。そして、図２６は、第五の実施の形態における、メイン処理で行われるページ内容変換処理のフローチャートである。
【０２１６】
図２４を参照して、表示装置１の表示状態を、「ペーパ位置」、「ペーパＩＤ」、「表次頁（初期）」、「表次頁（一般）」の項目で説明する。各項目については、第一の実施の形態と同様であるので、説明を援用して省略する。なお、ここでは、Ａを９９９以下の数として「１００ｃ＋１０ｂ＋ａ」としているが、総ページ数ｍが９９９より大きいコンテンツを扱うことを考える場合には、「Ａ＝１０００ｄ＋１００ｃ＋１０ｂ＋ａ」とし、最後から２つ目〜４つ目の表示部３６，４６には、「１０００ｄ＋１００ｃ＋１０（ｂ＋１）」を表示し、最後の表示部３６，４６には、「１０００ｄ＋１００（ｃ＋１）」を表示すればよい。これ以上の数を扱う場合も同様に考えればよい。
【０２１７】
図２４に示すように、第五の実施の形態では、ペーパ位置「１」番目〜「６」番目においては、ページの順にコンテンツページが表示される。つまり、初期状態では、ペーパ位置「１」番目〜「６」番目にはコンテンツページの「１」ページ目〜「６」ページ目が順に表示される。一般的には「Ａ」ページ目，「Ａ＋１」ページ目，「Ａ＋２」ページ目，「Ａ＋３」ページ目，「Ａ＋４」ページ目，「Ａ＋５」ページ目が表示される。そして、ペーパ位置「７」番目〜「９」番目、つまり、最後から２つ目〜４つ目の表示部３６，４６には、初期状態ではすべてコンテンツページの「１０」ページ目が表示される。一般的には、「１００ｃ＋１０（ｂ＋１）」ページ目が表示される。そして、「１０」番目の表示部３６，４６には、「１００（ｃ＋１）」ページ目が表示される。ただし、「１００ｃ＋１０（ｂ＋１）＝１００（ｃ＋１）」となる場合には、「１０」番目には「１００（ｃ＋２）」が表示される。
【０２１８】
また、図２５に示すように、第五の実施の形態では、電子ペーパ５がめくられても（ページめくりされても）、電子ペーパ５の表示部３６，４６に表示されるコンテンツページには図２４の「表示頁（一般）」に示したような関係が保たれる。
【０２１９】
よって、「１」番目〜「６」番目の表示部３６，４６では、各表示部間のコンテンツページの差は「１」であるが、１番目の表示部３６，４６に表示されているコンテンツページと７番目の表示部３６，４６とに表示されているコンテンツページとの差は「１００ｃ＋１０（ｂ＋１）−Ａ＝１００ｃ＋１０（ｂ＋１）−（１００ｃ＋１０ｂ＋ａ）＝１０−ａ」である。さらに、「７」番目〜「９」番目の各表示部間のコンテンツページの差は「０」となっており、「１」番目と「１０」番目のコンテンツページの差は「１００（ｃ＋１）−Ａ＝１００（ｃ＋１）−（１００ｃ＋１０ｂ＋ａ）＝１００−１０ｂ−ａ」となっている。
【０２２０】
ここでは、請求項にいう「ｘ」は「６＞２」であり、「ｘ＋１」が「７」、「離頁数Ｘ」は「１０−ａ」である。よって、「ｘ＋１」番目には、１番目のコンテンツページよりも４ページ以上後ろの画像が表示されている。そして、「ｚ」は「９」であり、「７」番目〜「９」番目の各表示部には同じページが表示されている。そして、「ｙ」は「９」であり、「ｙ＋１」が「１０」、「離頁数Ｙ」は「１００−１０ｂ−ａ」である。よって、「ｙ＋１」番目には、１番目のコンテンツページよりも５ページ以上後ろの画像が表示されている。よって、「離頁数Ｘ」は「１〜１０」となり、「離頁数Ｙ」は「１１〜１１０」となる。そして、「離頁数Ｘ＝１０」の時は、「離頁数Ｙ＝１１０」であり、「１１０＞１０×２＝２０」が成立する。これは、「９０」，「１９０」など、「ｂ＝９かつａ＝０」の場合が該当する。また、１枚目のコンテンツページが「１８０」の場合には、「ｃ＝１，ｂ＝８，ａ＝０」であり、「離頁数Ｘ＝１０−０＝１０」、「離頁数Ｙ＝１００−１０×８−０＝２０」となる。この場合には、「２０＝１０×２＝２０」が成立する。これは、「８０」，「１８０」など、「ｂ＝８，ａ＝０」である場合が該当する。したがって、第五の実施の形態では、「離頁数Ｙ≧離頁数Ｘ×２」が成立する。
【０２２１】
ここで、マスタペーパ３のＣＰＵ３１で行われるメイン処理について説明するが、メイン処理及びメイン処理で行われるめくり数検知処理については、Ｓ３における初期状態の表示処理の詳細以外は、第一の実施の形態（図１２，図１３参照）と同様であるので、説明を援用して省略する。なお、Ｓ３の初期状態の表示においては、表示文書内容に記憶されるコンテンツページ数が、図２４模式図の「表示頁（一般）」に示した式に「Ａ＝１」を代入して算出される値がとされる。そして、第一の実施の形態とは異なる処理が行われるページ内容変換処理について、図２６に示すフローチャートを参照して説明する。
【０２２２】
まず、めくり数記憶エリア３３７に記憶されているめくり数Ｐが「０」であるか否かの判断が行われる（Ｓ１６１）。めくり数Ｐが「０」であれば（Ｓ１６１：ＹＥＳ）、電子ペーパ５はめくられていないので、表示を更新する必要はなく、ページ内容変換処理は終了し、メイン処理へ戻る。
【０２２３】
めくり数Ｐが「０」でなければ（Ｓ１６１：ＮＯ）、まず、変数Ｑにペーパ位置「ｎ−１」の電子ペーパ５の表示部３６，４６に表示されているコンテンツページのページ数が記憶され、変数Ｒにペーパ位置「ｎ」の電子ペーパ５の表示部３６，４６に表示されているコンテンツページのページ数が記憶される（Ｓ１６２）。そして、めくり数Ｐが「ｎ−１」，「ｎ−２」，「ｎ−３」のいずれかであるか否かの判断が行われる（Ｓ１６３）。
【０２２４】
めくり数Ｐが「ｎ−１」，「ｎ−２」，「ｎ−３」，「ｎ−４」のいずれかである場合には（Ｓ１６３：ＹＥＳ）、第二ページ順序テーブルのペーパ位置「２」〜「ｎ−４」に、ペーパ位置「１」に表示されているコンテンツページの続きのページが表示される（Ｓ１６５）。たとえば、図１９に示した例では、ペーパ位置が「めくり８」である行に示すように、「１」番目には、ペーパＩＤ「Ｓ０９」の電子ペーパ５があり、初期状態では「Ｓ０９」の電子ペーパ５の表示部３６，４６にはコンテンツページ「１０」の画像が表示されている。よって、ペーパ位置「２」〜「ｎ−４＝１０−４＝６」番目の表示部３６，４６には、図１９に示すように、コンテンツページ「１１」〜「１５」の画像が表示される。そこで、第二ページ順序テーブル記憶エリア３３２のペーパ位置「２」〜「６」の表示中文書内容に「１０」〜「１５」がそれぞれ記憶される。
【０２２５】
次いで、Ｓ１６６へ進み、第二ページ順序テーブルのペーパ位置「１」の電子ペーパ５の表示部３６，４６に表示されているコンテンツページが変数Ｑより小さいか否かの判断が行われる（Ｓ１６６）。変数Ｑは初期状態の「ｎ−１」番目の電子ペーパ５に表示されているコンテンツページである。ここで、ペーパ位置「１」の電子ペーパ５に表示されているコンテンツページが変数Ｑより小さい場合には（Ｓ１６６：ＹＥＳ）、ペーパ位置「ｎ−１」，「ｎ−２」，「ｎ−３」の電子ペーパ５の表示部３６，４６の表示を更新する必要がない。そこで、Ｓ１６９に進む。
【０２２６】
一方、ペーパ位置「１」の電子ペーパ５に表示されているコンテンツページが変数Ｑより小さくない場合には（Ｓ１６６：ＮＯ）、ペーパ位置「ｎ−１」，「ｎ−２」，「ｎ−３」の電子ペーパ５の表示部３６，４６の表示を更新する必要がある。そこで、第二ページ順序テーブルのペーパ位置「ｎ−１」，「ｎ−２」，「ｎ−３」番目の電子ペーパ５の表示部３６，４６に変数Ｑに「１０」を加算した数のコンテンツページが表示される（Ｓ１６７）。そこで、第二ページ順序テーブル記憶エリア３３２のペーパ位置「ｎ−１」，「ｎ−２」，「ｎ−３」の表示中文書内容に「Ｑ＋１０」が記憶される。そして、変数Ｑに「１０」が加算される（Ｓ１６８）。
【０２２７】
次いで、Ｓ１６９では、変数Ｑが変数Ｒから「１０」減算した値よりも小さいか否かの判断が行われる（Ｓ１６９）。「Ｑ＜Ｒ−１０」である場合には（Ｓ１６９：ＹＥＳ）、ペーパ位置「ｎ」の電子ペーパ５の表示部３６，４６の表示を更新する必要はないので、ページ内容変換処理は終了され、メイン処理へ戻る。また、「Ｑ＜Ｒ−１０」でない場合には（Ｓ１６９：ＮＯ）、ペーパ位置「ｎ」の電子ペーパ５の表示部３６，４６の表示を更新する必要がある。そこで、第二ページ順序テーブルのペーパ位置「ｎ」番目の電子ペーパ５の表示部３６，４６に変数Ｒに「１００」を加算した数のコンテンツページが表示される（Ｓ１７０）。そこで、第二ページ順序テーブル記憶エリア３３２のペーパ位置「ｎ」の表示中文書内容に「Ｒ＋１００」が記憶される。そして、ページ内容変換処理は終了し、メイン処理へ戻る。
【０２２８】
第五の実施の形態では、以上のようにして、ページ内容変換処理が行われることにより、表示部３６，４６には、図２４に示した表示頁（一般）欄に示されている関係を保ってコンテンツページが表示される。第五の実施の形態では、「ｎ−３」番目、「ｎ−２」番目、「ｎ−１」番目の表示部には最初の表示部に表示されているＡページよりも１０の位が一つ上の数のコンテンツページが表示され、ｎ番目の表示部には、Ａよりも１００の位が一つ上の数のコンテンツページが表示される。よって、４００ページといった後ろの方のページを表示させたい時に、表示部３６，４６に１ページから順に１０ページまでページ順に連続して表示されている場合と比べて、かなり少ないめくり動作で閲覧したいコンテンツページの表示された表示部３６，４６を開くことができる。
【０２２９】
なお、上記第一の実施の形態〜第五の実施の形態における、マスタペーパ３のＲＡＭ３３の表示コンテンツ記憶エリア３３８が「コンテンツ記憶手段」に該当する。そして、メイン処理（図１０参照）のＳ４のめくり数検知処理（図１３参照）において、表示装置１の電子ペーパ５のめくり数を検知することにより、電子ペーパ５がめくられたことを検知する処理を行うＣＰＵ３１が「めくり検出手段」に相当する。そして、メイン処理のＳ５のページ内容変換処理（図１４，図１７，図２０，図２３，図２６）において、表示部３６，４６の表示を更新する処理を行うＣＰＵ３１が「めくり表示制御手段」に相当する。
【０２３０】
なお、上記第二の実施の形態では、接続ペーパ数ｎが「１０」である場合を説明したが、接続ペーパ数ｎは「１０」に限らないことは言うまでもない。たとえば、接続ペーパ数が「１５」である場合には、ペーパ位置「１」番目〜「１１」番目については、ページ順にコンテンツページを表示し、「１２」番目の表示部３６，４６に、「１」番目の表示部に表示されているページ「１００ｃ＋１０ｂ＋ａ」に対して「１００ｃ＋１０（ｂ＋１）」ページを表示するようにしてもよい。この場合には、コンテンツページ「１，２，３，４，５，６，７，８，９，１０，１１，１０，１０，１００」が表示されることとなる。また、上記第一の実施の形態では、ｘ＝７としたが、ｘの値は「７」に限らない。７より大きい数や小さい数であってもよい。接続ペーパ数ｎに基づいて決定してもよい。たとえば、「接続ペーパ数ｎ−接続ペーパ数ｎ×３／１０」の整数部としてもよい。
【０２３１】
また、第一の実施の形態には、請求項１及び請求項６に記載の「めくり表示制御手段」による処理が記載されており、第二の実施の形態には、請求項１、請求項６及び請求項７に記載の「めくり表示制御手段」による処理が記載されている。そして、第三の実施の形態には、請求項１、請求項６、請求項７及び請求項８に記載の「めくり表示制御手段」による処理が記載されており、第四の実施の形態には、請求項１、請求項２、請求項４及び請求項６に記載の「めくり表示制御手段」による処理が記載されている。そして、第五の実施の形態には、請求項１、請求項２、請求項３、請求項５及び請求項６に記載の「めくり表示制御手段」による処理が記載されている。
【０２３２】
なお、本発明の表示装置は、上記した実施の形態に限定されるものではなく、本発明の要旨を逸脱しない範囲内において種々変更を加え得ることは勿論である。上記実施の形態では、位置検出用リング２４を用いて電子ペーパ５の綴じ順序を検出したが、電子ペーパ５の綴じ順序の検出方法はこれに限らない。たとえば、綴じられている電子ペーパ５の枚数や順序が固定である場合には、各電子ペーパ５の表面に光センサを設け、光センサの検出値が最大の電子ペーパ５がページ位置「１」の電子ペーパ５である（開かれている）として、電子ペーパ５の綴じ順序を決定し、ページ順序テーブルを作成してもよい。
【０２３３】
また、上記実施の形態では、初期状態において図１０，図１５，図１８，図２１，図２４の「表示頁（一般）」に示す関係でコンテンツページが表示されるが、初期状態においては、１ページから連続したコンテンツページを表示してもよい。そして、この場合には、所定数（たとえば、接続ペーパ数ｎの半分）以上の電子ペーパ５がめくられた場合に、後ろの方のコンテンツページを開きたいと判断して、「表示頁（一般）」に示す関係でコンテンツページを表示させるようにしてもよい。
【図面の簡単な説明】
【０２３４】
【図１】表示装置１の外観を模式的に示した外観図である。
【図２】電源供給用貫通孔１１に電源供給用リング２１が貫通されている状態を示す模式図である。
【図３】電源供給用リング２１の断面を示す模式図である。
【図４】表示装置１の位置検出手段である位置検出用リング２４の説明図である。
【図５】位置検出用リング２４の断面を示す模式図である。
【図６】表示装置１の電気的構成を示すブロック図である。
【図７】マスタペーパ３のＲＡＭ３３のデータ構造を示す構成図である。
【図８】スレーブペーパ４のＲＡＭ４３のデータ構造を示す構成図である。
【図９】第一ページ順序テーブル記憶エリア３３１に記憶された第一ページ順序テーブルのデータ構造を示す構成図である。
【図１０】第一の実施の形態において最初に電子ペーパ５の表示部３６，４６に表示されるコンテンツのページの状態を示した模式図である。
【図１１】第一の実施の形態においてページをめくった際に電子ペーパの表示部３６，４６に表示されるコンテンツのページの状態を示した模式図である。
【図１２】マスタペーパ３のＣＰＵ３１で行われるメイン処理のフローチャートである。
【図１３】メイン処理で行われるめくり数検知処理のフローチャートである。
【図１４】メイン処理で行われるページ内容変換処理のフローチャートである。
【図１５】第二の実施の形態において最初に電子ペーパ５の表示部３６，４６に表示されるコンテンツページの状態を示した模式図である。
【図１６】第二の実施の形態においてページをめくった際に電子ペーパの表示部３６，４６に表示されるコンテンツページの状態を示した模式図である。
【図１７】第二の実施の形態における、メイン処理で行われるページ内容変換処理のフローチャートである。
【図１８】第三の実施の形態において最初に電子ペーパ５の表示部３６，４６に表示されるコンテンツページの状態を示した模式図である。
【図１９】第三の実施の形態においてページをめくった際に電子ペーパの表示部３６，４６に表示されるコンテンツページの状態を示した模式図である。
【図２０】第三の実施の形態における、メイン処理で行われるページ内容変換処理のフローチャートである。
【図２１】第四の実施の形態において最初に電子ペーパ５の表示部３６，４６に表示されるコンテンツページの状態を示した模式図である。
【図２２】第四の実施の形態においてページをめくった際に電子ペーパの表示部３６，４６に表示されるコンテンツページの状態を示した模式図である。
【図２３】第四の実施の形態における、メイン処理で行われるページ内容変換処理のフローチャートである。
【図２４】第五の実施の形態において最初に電子ペーパ５の表示部３６，４６に表示されるコンテンツページの状態を示した模式図である。
【図２５】第五の実施の形態においてページをめくった際に電子ペーパの表示部３６，４６に表示されるコンテンツページの状態を示した模式図である。
【図２６】第五の実施の形態における、メイン処理で行われるページ内容変換処理のフローチャートである。
【符号の説明】
【０２３５】
１  表示装置
２  リング部材
３  マスタペーパ
４  スレーブペーパ
５  電子ペーパ
１１  電源供給用貫通孔
１２  接地用貫通孔
１３  通信用貫通孔
１４  位置検出用貫通孔
２１  電源供給用リング
２２  接地用リング
２３  通信用リング
２４  位置検出用リング
３１  ＣＰＵ
３２  ＲＯＭ
３３  ＲＡＭ
３５  内部通信部
３６  表示部
４１  ＣＰＵ
４６  表示部
４７  位置検出部
４８  電圧計測部
５０  加速度センサ
１４４  電気抵抗体
３３１  第一ページ順序テーブル記憶エリア
３３２  第二ページ順序テーブル記憶エリア
３３３  第三ページ順序テーブル記憶エリア
３３７  めくり数記憶エリア
３３８  表示コンテンツ記憶エリア
【図１】
2008180748.tif 000003
【図２】
2008180748.tif 000004
【図３】
2008180748.tif 000005
【図４】
2008180748.tif 000006
【図５】
2008180748.tif 000007
【図６】
2008180748.tif 000008
【図７】
2008180748.tif 000009
【図８】
2008180748.tif 000010
【図９】
2008180748.tif 000011
【図１０】
2008180748.tif 000012
【図１１】
2008180748.tif 000013
【図１２】
2008180748.tif 000014
【図１３】
2008180748.tif 000015
【図１４】
2008180748.tif 000016
【図１５】
2008180748.tif 000017
【図１６】
2008180748.tif 000018
【図１７】
2008180748.tif 000019
【図１８】
2008180748.tif 000020
【図１９】
2008180748.tif 000021
【図２０】
2008180748.tif 000022
【図２１】
2008180748.tif 000023
【図２２】
2008180748.tif 000024
【図２３】
2008180748.tif 000025
【図２４】
2008180748.tif 000026
【図２５】
2008180748.tif 000027
【図２６】
2008180748.tif 000028